(57)【要約】  可変デジタル光学画像は汎用光学マトリックスを用いて作り上げられ得る。汎用光学マトリックスは、色に対応するピクセルと、非色効果に対応するサブピクセルとを有し得る。ピクセルは、第１の色に対応する第１のピクセルと、第２の色に対応する第２のピクセルとを含み得る。サブピクセルは、第１の非色効果に対応する第１のサブピクセルと、第２の非色効果に対応する第２のサブピクセルとを含み得る。汎用光学マトリックスのピクセル及び／又はサブピクセルの個々は、残りのピクセル及び／又はサブピクセルが保護されつつ、ネガに従って消去され得る。残りのピクセル及び／又はサブピクセルは、ベース画像に対応する光学画像を形成し得る。光学画像は残りのピクセルに基づき着色され得る。光学画像は残りのサブピクセルに対応する非色効果を示し得る。光学画像は、ホログラム又はステレオ画像を含み得る。【選択図】図１
2018513999.tif 000002
【特許請求の範囲】
【請求項１】
色に対応するピクセルと、非色効果に対応するサブピクセルとを有する汎用光学マトリックスであって、
汎用光学マトリックスは、
基板と、
基板上に配置されたピクセルのアレイを含み、アレイは、第１の色に対応する第１のピクセルと第２の色に対応する第２のピクセルとを含み、第１の色は第２の色とは異なり、第１のピクセルと第２のピクセルは、第１のピクセルの個々が第２のピクセルの個々に隣接して位置するようなモチーフで配され、
ピクセルの個々はサブピクセルを含み、任意のピクセルは第１のサブピクセルと第２のサブピクセルを含み、第１のサブピクセルは第１の光学構造を含み、第１の光学構造は、第１のサブピクセルの第１の光学構造によって反射または送信された光が第１の視角から汎用光学マトリックスを観察する人の左目に向けられるように構成され、第２のサブピクセルは第２の光学構造を含み、第２の光学構造は、第２のサブピクセルの第２の光学構造によって反射または送信された光が第１の視角から汎用光学マトリックスを観察する人の右目に向けられるように構成され、第１のサブピクセルと第２のサブピクセルによって反射または送信された光は任意のピクセルの対応する色である、汎用光学マトリックス。
【請求項２】
基板はフォトレジスト、ニッケルプレート、ポリエステルフィルム、シリコン、ポリカーボネートフィルム、または紫外線用基板の１つ以上を含む、請求項１に記載の汎用光学マトリックス。
【請求項３】
任意の光学構造は、回折格子、ホログラム、キネグラム、フレネルレンズ、回折光学可変画像装置、ピクセルグラム、ホログラフィックステレオグラム、回折識別装置、誘電体構造、体積ホログラム、干渉セキュリティ画像構造、計算機ホログラム、または、電子ビーム回折格子の１つ以上を含む、請求項１に記載の汎用光学マトリックス。
【請求項４】
色に対応するピクセルと非色効果に対応するサブピクセルとを有する汎用光学マトリックスを作り上げる方法であって、
前記方法は、
基板を得る工程と、
基板上に配置されたピクセルのアレイを定義する工程であって、アレイが第１の色に対応する第１のピクセルと第２の色に対応する第２のピクセルとを含み、第１の色が第２の色とは異なり、第１のピクセルと第２のピクセルは、第１のピクセルの個々が第２のピクセルの個々に隣接して位置するようなモチーフで配される、工程と、
ピクセルの個々の内部にサブピクセルを形成する工程であって、任意のピクセルは第１のサブピクセルと第２のサブピクセルを含み、第１のサブピクセルは第１の光学構造を含み、第１の光学構造は、第１のサブピクセルの第１の光学構造によって反射または送信された光が第１の視角から汎用光学マトリックスを観察する人の左目に向けられるように構成され、第２のサブピクセルは第２の光学構造を含み、第２の光学構造は、第２のサブピクセルの第２の光学構造によって反射または送信された光が第１の視角から汎用光学マトリックスを観察する人の右目に向けられるように構成され、第１のサブピクセルと第２のサブピクセルによって反射または送信された光は任意のピクセルの対応する色である、工程を含む、方法。  
【請求項５】
アレイはさらに第３の色に対応する第３のピクセルを含み、
第３の色は第１の色と第２の色とは異なり、
第３のピクセルは、第３のピクセルの個々が第１のピクセルの個々と第２のピクセルの個々に隣接して位置するように、モチーフで配置され、
任意のピクセルは、第３のサブピクセルと第４のサブピクセルを含み、
第３のサブピクセルは第３の光学構造を含み、第３の光学構造は、第３の光学構造によって反射または送信された光が第２の視角から汎用光学マトリックスを観察する人の左目に向けられるように構成され、
第４のサブピクセルは第４の光学構造を含み、第４の光学構造は、第４の光学構造によって反射または送信された光が第２の視角から汎用光学マトリックスを観察する人の右目に向けられるように構成され、
第３のサブピクセルと第４のサブピクセルによって反射または送信された光は任意のピクセルの対応する色である、請求項４に記載の方法。
【請求項６】
所望の画像と汎用光学マトリックスとに基づいて可変デジタルホログラフィック画像ネガを生成するために構成されたシステムであって、
前記システムは、
１つ以上の物理プロセッサを含み、
前記物理プロセッサは、
原画像を獲得すること、
汎用光学マトリックスに関連した幾何学的形状を得ることであって、汎用光学マトリックスが色に対応するピクセルと、非色効果に対応するサブピクセルとを有し、ピクセルが第１の色に対応する第１のピクセルと第２の色に対応する第２のピクセルとを含み、サブピクセルが第１の非色効果に対応する第１のサブピクセルと、第２の非色効果に対応する第２のサブピクセルとを含み、幾何学的形状が汎用光学マトリックス中のピクセルの位置と色を示し、幾何学的形状がさらにピクセル内のサブピクセルの位置と非色効果を示す、こと、
第１の分解と第２の分解を含む２つ以上の分解をもたらすために、原画像上で色分解を行うことであって、第１の分解が第１の色に対応し、第２の分解が第２の色に対応する、こと、
インデックスを付けた分解をもたらすために、汎用光学マトリックスに関連する幾何学的形状に対して前記分解にインデックスを付けることであって、第１の分解が、第１の非色効果に関連するインデックスを付けた第１の分解をもたらすために、第１の色と第１の非色効果とに関する幾何学的形状にインデックスを付けられ、第１の分解が、第２の非色効果に関連するインデックスを付けた第１の分解をもたらすために、第１の色と第２の非色効果とに関する幾何学的形状にインデックスを付けられ、第２の分解が、第１の非色効果に関連するインデックスを付けた第２の分解をもたらすために、第２の色と第１の非色効果に関する幾何学的形状にインデックスを付けられ、第２の分解が、第２の非色効果に関連するインデックスを付けた第２の分解をもたらすために、第２の色と第２の非色効果に関する幾何学的形状にインデックスを付けられる、こと、および、
原画像ネガを得るために、インデックスを付けた分解を統合すること、を行うように機械可読命令によって構成される、システム。
【請求項７】
任意の色に対応する任意の分解は、任意の色に対応する汎用光学マトリックスのピクセルと任意の非色効果に対応するピクセル内のサブピクセルとに空間的に対応する任意の分解の領域を保護することにより、任意の非色効果に関して汎用光学マトリックスに関連した幾何学的形状にインデックスを付けられ、任意の分解の非保護領域は消去される、請求項６に記載のシステム。
【請求項８】
第１の非色効果に関連するインデックスを付けた第１の分解、第２の非色効果に関連するインデックスを付けた第１の分解、第１の非色効果に関連するインデックスを付けた第２の分解、および第２の非色効果に関連するインデックスを付けた第２の分解は、保護された領域の空間位置を維持しながら保護された領域を組み合わせることによって統合される、請求項７に記載のシステム。
【請求項９】
任意の色に対応する任意の分解は、任意の色に対応する汎用光学マトリックスのピクセルと任意の非色効果に対応するピクセル内のサブピクセルとに空間的に対応する任意の分解の領域を消去することにより、任意の非色効果に関して汎用光学マトリックスに関連する幾何学的形状にインデックスを付けられ、任意の分解の未消去領域は保護される、請求項６に記載のシステム。
【請求項１０】
第１の非色効果に関連するインデックスを付けた第１の分解、第２の非色効果に関連するインデックスを付けた第１の分解、第１の非色効果に関連するインデックスを付けた第２の分解、および第２の非色効果に関連するインデックスを付けた第２の分解は、消去された領域の空間位置を維持しながら消去された領域を組みわせることによって統合される、請求項９に記載のシステム。
【請求項１１】
汎用光学マトリックスを使用して、単一の印刷サイクルで即座に生成される光学画像を含む可変デジタル光学画像を作り上げるために構成されたシステムであって、
前記システムは、
画像ネガコンポーネントと、
画像生成コンポーネントを含み、
画像ネガコンポーネントは、ベース画像に対応するネガを保持するように構成され、ネガはあらかじめ準備した物理的な汎用光学マトリックスに関連するベース画像と幾何学的形状に基づき、汎用光学マトリックスは色に対応するピクセルと、非色効果に対応するサブピクセルの配列されたモチーフを有し、ピクセルは第１の色に対応する第１のピクセルと、第２の色に対応する第２のピクセルとを含み、サブピクセルは第１の非色効果に対応する第１のサブピクセルと、第２の非色効果に対応する第２のサブピクセルとを含み、幾何学的形状は、汎用光学マトリックス中のピクセルの位置と色を示し、幾何学的形状はさらに、ピクセル内のサブピクセルの位置と非色効果を示し、任意の非色効果は、視角、視距離、偏光、強度、散乱、屈折率、または複屈折の１つ以上に対応し、
画像生成コンポーネントは、残りのピクセルおよび／またはサブピクセルを保護しつつ、ネガに従って汎用光学マトリックスのピクセルおよび／またはサブピクセルの個々を消去するように構成され、残りのピクセルおよび／またはサブピクセルはベース画像に対応する光学画像を形成し、光学画像は残りのピクセルに基づいて着色され、光学画像は残りのサブピクセルに対応する非色効果を示し、画像生成コンポーネントは、任意のピクセルおよび／またはサブピクセル上に色素を印刷すること、任意のピクセルおよび／またはサブピクセル上で放射線硬化性材料を硬化させること、任意のピクセルおよび／またはサブピクセルに化学エッチングを行うこと、あるいは、任意のピクセルおよび／またはサブピクセルにレーザーアブレーションを行うことの１つ以上により、任意のピクセルおよび／またはサブピクセルを選択的に消去するように構成される、システム。
【請求項１２】
光学画像は、ホログラム、ステレオ画像、ホログラム、ステレオ画像、光学可変装置ベースの画像、回折光学可変画像、ゼロ次装置ベースの画像、ブレーズド回折構造ベースの画像、一次装置ベースの画像、ドットマトリックス画像、ピクセルグラム画像、構造色構造ベースの画像、回折識別装置ベースの画像、干渉セキュリティ画像構造ベースの画像、キネグラム画像、エクセルグラム画像、回折光学素子ベースの画像、光子構造ベースの画像、ナノホールベースの画像、計算機ホログラム、電子ビームにより生成された光学構造、または干渉パターンの１つ以上を含む、請求項１１に記載のシステム。
【請求項１３】
残りのサブピクセルの非色効果は、光学画像を見るときに観察可能な１つ以上の光学効果を生じさせ、１つ以上の光学効果は、三次元の光学効果、二次元の光学効果、ダイナミック光学効果、散乱効果、ホログラフィによる白色効果、レンズ効果、フレネルレンズ効果、輝度変調効果、リソグラフィー効果、ステレオグラム効果、ナノテキストおよび／またはマイクロテキストの効果、隠し画像効果、モアレ効果、隠しアニメ化パターン効果、秘密レーザー可読（ＣＬＲ）効果、複数背景効果、真珠光沢効果、トゥルーカラー画像効果、ギロシェ効果、アニメーション効果、消色フレネル効果、ダイナミックＣＬＲ画像、キネマティック画像、フルパララックス効果、スクラッチホログラフィ効果、分極効果、透かし効果、金属効果、バイナリ光学構造、またはフレネルプリズムの１つ以上を含む、請求項１１に記載のシステム。
【請求項１４】
残りのサブピクセルの個々は、残りのサブピクセルに関連付けられた個々のピクセルの色に対応する色を用いて具体的な視角で光を反射する、請求項１１に記載のシステム。
【請求項１５】
光学画像と連続的な光学画像は異なる光学画像ごとに異なる可変コードを含み、可変コードは、一次元バーコード、マトリックスバーコード、英数字コード、グラフィカルコード、２Ｄコード、連続バーコード、連番、暗号化コード、データマトリックスコード、マトリックス２Ｄコード、Ａｚｔｅｃコード、またはマキシコードを含む、請求項１１に記載のシステム。
【発明の詳細な説明】
【技術分野】
【０００１】
開示の分野
本開示は、色に対応するピクセルと非色効果に対応するサブピクセルとを有する汎用光学マトリックス、および、望ましい画像と汎用（ｇｅｎｅｒｉｃ）光学マトリックスに基づいて可変デジタル光学画像ネガを生成し、および、汎用光学マトリックスを使用して可変デジタル光学画像を作り上げる関連方法に関する。
【背景技術】
【０００２】
二次元および／または三次元の効果を生成する光学画像は一般に、レンチキュラーレンズ技術、ホログラフィ技術、および／またはステレオグラフィック技術を使用して印刷されることがある。こうした様々な技術が以前にも増して使用されるようになるにつれて、そうした画像を速くかつ低価格で生成し、ラベル、パッケージング、セキュリティプリントアウト、および／または、他の印刷物のような印刷物に該画像を容易に組み入れることができるように該画像をインク印刷機構へ統合する能力に対するニーズが印刷業界で生じた。現状では、こうした技術は一般に製造のレイテンシが長く、ホログラフィの会社のような専門企業に限定されている。
【０００３】
確かに、現在まで、印刷用途で二次元および／または三次元の効果をもたらす光学画像の実施態様は一般に高価で時間がかかる。ホログラムの場合には、こうした画像は非常に高価な機器を有しているホログラフィの会社によって生成されることがある。そのプロセスは緩慢でコストがかかることもある。同時代のホログラム技術では、会社は、ホログラムがフォトレジストプレート上で作られる光学実験室を備えていることが必要な場合もある。光学実験室はレーザー装置、防振台、他の専門的な機器、および訓練を受けたスタッフを含むこともある。いったんホログラムが最初に作られると、それは原盤と呼ばれることもあるが、大規模生産には使用されないこともある。そのため、会社はさらに電鋳実験室を必要とすることもあり、そこでは、フォトレジストの表面にニッケルコピーを作る目的でフォトレジスト原盤がスルファミン酸ニッケルの浴槽へ入れられる。いったんニッケルが十分な厚さになると、原画像ネガコピーを作成するためにニッケルはフォトレジストコピーから分離されることもある。このニッケルから、実験室は、後にニッケルシムと呼ばれ、様々な支持材料上で画像を掘り込むために使用されることもある一連のコピーを作る。
【０００４】
次に、画像を掘り込むためには、特殊な装置を持っていることが必要なこともある。最終生成物次第では、異なる用途向けの機器が追加されることもあり得る。こうしたプロセスは数日かかることも多く、インク印刷とは完全に異なるプロセスである。これらの光学構造を使用する目的で、プリンターは通例、そのニーズに従って必要な画像を生成する専門企業（例えばホログラフィ会社）に依存する。そうした専門企業と連携するのに必要な追加の時間をかけることに加えて、プリンターは、印刷される製品上に光学構造を移動させることができるような機器に取り込まれることを要求されることもある。
【発明の概要】
【０００５】
本開示の１つの態様は、色に対応するピクセルと、非色効果に対応するサブピクセルとを有する汎用光学マトリックスに関する。典型的な実施態様は、あたかも印刷装置中の追加の「インク」ステーションの追加「インク」であるかのように光学構造を生成する能力を世界中のプリンターに持たせることができる。いくつかの実施態様により、プリンターは、印刷されている光学画像を変えることができることもある。汎用光学マトリックスは、印刷機器で光学画像を印刷するために使用され得る光学画像をすぐに生成するための特定のピクセルおよび／またはサブピクセルを消去するために、ネガとＵＶラッカー（または他の手法）と共に使用されてもよい。
【０００６】
典型的な実施態様は、その適用のために高価で複雑な光学系と機器に投資する必要なく、複雑な光学画像（例えばホログラム）の生成を含むその製造の態様をすべて制御する能力をプリンターに与えることもある。言いかえれば、典型的な実施態様は、プリンターの印刷前工程と製造の部門へ容易にかつ廉価で一体化される連続的なシステムを容易にすることができる。結果として、プリンターは、印刷前工程と製造の間に合理的なコストで印刷と複雑な光学画像の組み合わせをクライアントに迅速に供給することができることもある。
【０００７】
いくつかの実施態様は、レーザー、電鋳、高価な型、および／またはエンボス機器を使用することなく多くのタイプの画像を生成するために大規模に光学構造を即座にまたは迅速に作ることを促すこともある。こうした光学構造の用途は、ラベルの審美的な効果を強調すること、増音した現実および／または仮想現実システム（例えばＭｉｃｒｏｓｏｆｔ（登録商標）ＨｏｌｏＬｅｎｓ（商標））に３Ｄ印刷を供給すること、パッケージングを消費者により魅力的なものにすること、公文書、紙幣、クレジットカード、パスポート、ラベル、パッケージング、および／または、他のセキュリティ用途に対してセキュリティを付加すること、および／またはその他の用途を含み得る。
【０００８】
いくつかの実施態様によれば、それらは、可変であると分かるような手法で光学構造を記録し、成形し、および／または、印刷することを容易にすることができ、そのことは個々の印刷サイクルの後、新しく異なる光学画像が即座に生成可能であることを意味している。例えば、光学画像は、ラベルが付着した製品のセキュリティを増加させる目的で、および／または、個々のパッケージ用に特有の光学特性を備えたパッケージングを個別化する目的で、ラベルからラベルへと変化することもある。これは光学構造のデジタル印刷である。
【０００９】
いくつかの実施態様は、従来の印刷機器は、デジタル機器、デスクトッププリンター、および／または、他の機器セットアップとともに、これらのマシンのインク印刷により継続的にまたはオンデマンドで光学構造を生成する目的で使用されてもよい。そのため、こうした光学画像を生成するコストを劇的に低下させることができ、印刷業界の印刷前工程のコストに類似するコストにまで近づけることもある。
【００１０】
光学画像を生成するための同時代のテクノロジーとは対照的に、典型的な実施態様は、新しいまたは変更された画像が望まれるたびに最初から新しい画像を生成することを必要としない。いくつかの実施態様によれば、汎用光学マトリックスを用いて、後に彫り込まれ、成形され、３Ｄモニターまたは他のディスプレイ上に表示され、および／または従来の印刷機器、輪転グラビア、インクジェット印刷、デジタル印刷、オフセット印刷、レーザー印刷を含む他の印刷技術、デスクトッププリンター、レーザコーダ、インクジェット符号化装置、および／または他の印刷技術からの印刷物と組み合わされ得る数種類の画像を即座に生成するために用いられ得る。
【００１１】
いくつかの実施態様に合わせて、汎用光学マトリックスは色に対応するピクセルと、非色効果に対応するサブピクセルとを有し得る。汎用光学マトリックスは基板と、基板上に配置されたピクセルのアレイを含み得る。アレイは第１の色に対応する第１のピクセルと第２の色に対応する第２のピクセルとを含み得る。第１の色は第２の色とは異なることもある。第１のピクセルと第２のピクセルは、第１のピクセルの個々が第２のピクセルの個々に隣接して位置するようなモチーフで配されてもよい。ピクセルの個々はサブピクセルを含むこともある。所定のピクセルは第１のサブピクセルと第２のサブピクセルを含んでもよい。第１のサブピクセルは、第１の条件を満たす光を反射または送信するように構成された光学構造を含むことがある。第２のサブピクセルは、第２の条件を満たす光を反射または送信するように構成された光学構造を含むことがある。第１の条件は第２の条件とは異なることもある。第１のサブピクセルと第２のサブピクセルによって反射または送信された光は、所定のピクセルの対応する色であってもよい。
【００１２】
本開示の１つの態様は、所望の画像と汎用光学マトリックスとに基づいて可変デジタルホログラフィック画像ネガを生成するために構成されたシステムに関する。いくつかの実施態様に合わせて、システムは、原画像を獲得するように機械可読命令によって構成された１つ以上の物理プロセッサを含むこともある。１つ以上の物理プロセッサは、汎用光学マトリックスに関連した幾何学的形状を得るように機械可読命令によって構成されることもある。汎用光学マトリックスは色に対応するピクセルと、非色効果に対応するサブピクセルとを有することもある。ピクセルは第１の色に対応する第１のピクセルと第２の色に対応する第２のピクセルとを含むことがある。サブピクセルは第１の非色効果に対応する第１のサブピクセルと、第２の非色効果に対応する第２のサブピクセルとを含むことがある。幾何学的形状は、汎用光学マトリックス中のピクセルの位置と色を示すこともある。幾何学的形状は、ピクセル内のサブピクセルの位置と非色効果を示すこともある。１つ以上の物理プロセッサは、第１の分解と第２の分解を含む２つ以上の分解をもたらすために、原画像上で色分解を行うように機械可読命令によって構成されることもある。第１の分解は第１の色に対応することもある。第２の分解は第２の色に対応することもある。１つ以上の物理プロセッサは、インデックスを付けた分解をもたらすために、汎用光学マトリックスに関連する幾何学的形状に対して当該分解にインデックスを付けるように機械可読命令によって構成されることもある。第１の分解は、第１の非色効果に関連するインデックスを付けた第１の分解をもたらすために、第１の色と第１の非色効果とに関する幾何学的形状にインデックスを付けられることもある。第１の分解は、第２の非色効果に関連するインデックスを付けた第１の分解をもたらすために、第１の色と第２の非色効果とに関する幾何学的形状にインデックスを付けられることもある。第２の分解は、第１の非色効果に関連するインデックスを付けた第２の分解をもたらすために、第２の色と第１の非色効果に関する幾何学的形状にインデックスを付けられることもある。第２の分解は、第２の非色効果に関連するインデックスを付けた第２の分解をもたらすために、第２の色と第２の非色効果に関する幾何学的形状にインデックスを付けられることもある。１つ以上の物理プロセッサは、原画像ネガをもたらすために、インデックスを付けた分解を統合するように機械可読命令によって構成されることもある。
【００１３】
本開示の１つの態様は、汎用光学マトリックスを使用して可変デジタル光学画像を作り上げるために構成されたシステムに関する。いくつかの実施態様に合わせて、システムは画像ネガコンポーネントと画像生成コンポーネントとを含むこともある。画像ネガコンポーネントはベース画像に対応するネガを保持するように構成されることもある。ネガは汎用光学マトリックスに関連するベース画像と幾何学的形状に基づくものであってもよい。汎用光学マトリックスは色に対応するピクセルと、非色効果に対応するサブピクセルとを有することもある。ピクセルは第１の色に対応する第１のピクセルと、第２の色に対応する第２のピクセルとを含むことがある。サブピクセルは第１の非色効果に対応する第１のサブピクセルと、第２の非色効果に対応する第２のサブピクセルとを含むことがある。幾何学的形状は、汎用光学マトリックス中のピクセルの位置と色を示すこともある。幾何学的形状は、ピクセル内のサブピクセルの位置と非色効果を示すこともある。画像生成コンポーネントは、残りのピクセルおよび／またはサブピクセルを保護しつつ、ネガに従って汎用光学マトリックスのピクセルおよび／またはサブピクセルの個々を消去するように構成されることもある。残りのピクセルおよび／またはサブピクセルはベース画像に対応する光学画像を形成することもある。光学画像は残りのピクセルに基づいて着色されることもある。光学画像は残りのサブピクセルに対応する非色効果を示すこともある。
【００１４】
典型的な実施態様によれば、サブピクセルは透明材料中に回折格子（または他の光学構造）を含むこともある。消去された回折格子（または他の光学構造）を通して根本的な基板が目に見えるようにするために、サブピクセルの個々を透明にして消去することもある。したがって、基板が消去されたサブピクセルに一致する位置で着色されると、その色は対応するサブピクセルの透明材料を通して目に見えることもある。いくつかの実施態様では、個々のサブピクセルは半透明または透明な色を含むことがある。さらに、個々のサブピクセルは、黒色または他の色の様々な密度を備えた透明なインクおよび／または半透明なインクで重ね刷りされることもある。
【００１５】
本技術のこれらおよび他の特徴ならびに特性は、構造体の関連する要素の操作と機能、および製造の一部と経済の組み合わせと同様に、添付図面（そのすべてが本明細書一部を形成しており、類似する参照数字は様々な図面で対応する部位を指定している）を参照して、以下の記載と添付される請求項を考慮すればより明白なものとなるであろう。しかしながら、図面は例示および記載のためのものに過ぎず、本発明の範囲を定義として意図されていないということが明らかに理解されるはずである。本明細書と請求項で使用されるように、「ａ」、「ａｎ」、および「ｔｈｅ」の単数形は、特段の明らかな定めのない限り、複数の指示物を含む。
【図面の簡単な説明】
【００１６】
【図１】１つ以上の実施態様に係る、色に対応するピクセルと非色効果に対応するサブピクセルとを有する汎用光学マトリックスを例証する。
【図２】１つ以上の実施態様に係るピクセルの典型的なアレイを例証する。
【図３】１つ以上の実施態様に係るサブピクセルを含むピクセルの典型的なアレイを例証する。
【図４】１つ以上の実施態様に係る、色に対応するピクセルと非色効果に対応するサブピクセルを有する汎用光学マトリックスを作り上げる方法を例証する。
【図５】１つ以上の実施態様に係る、所望の画像と汎用光学マトリックスに基づいて可変デジタルホログラフィック画像ネガを生成するために構成されたシステムを例証する。
【図６】本出願の全体にわたって説明目的に使用された典型的な原画像を例証する。
【図７】Ａ、Ｂ、およびＣは、図６の典型的な原画像に対応する典型的な分解を例証する。
【図８】図６の典型的な原画像に対応する典型的なインデックスを付けられた分解を例証する。
【図９】図６の典型的な原画像に対応する典型的なネガを例証する。
【図１０】１つ以上の実施態様に係る、所望の画像と汎用光学マトリックスに基づいて可変デジタルホログラフィの画像ネガを生成する方法を例証する。
【図１１】１つ以上の実施態様に係る、汎用光学マトリックスを使用して、可変デジタル光学画像を作り上げるために構成されたシステムを例証する。
【図１２】１つ以上の実施態様に係る、色に対応するピクセルと非色効果に対応するサブピクセルを有する汎用光学マトリックスを例証する。
【図１３】１つ以上の実施態様に係る、ネガと汎用光学マトリックスの典型的なレジストレーションマークを例証する。
【図１４】１つ以上の実施態様に係る典型的なロールツーロール（ｒｏｌｌ−ｔｏ−ｒｏｌｌ）印刷の構成を例証する。
【図１５】１つ以上の実施態様に係る、ロールツーロール印刷装置で使用されることもある内部照明を備えた典型的なシリンダーを例証する。
【図１６】１つ以上の実施態様に係る、ロールツーロール印刷装置で使用されることもあるシリンダーの水冷を促すための内部キャビティを備えた典型的なシリンダーを例証する。
【図１６Ａ】１つ以上の実施態様に係る、硬化目的などでシリンダーの対向側に薄くて狭い高輝度の光の帯を投影するために照射される際にレンズとして働く典型的な透明なシリンダーを例証する。
【図１７】１つ以上の実施態様に係る、典型的なロールツーロール印刷の構成を例証する。
【図１８】１つ以上の実施態様に係る、典型的なロールツーロール印刷の構成を例証する。
【図１９】１つ以上の実施態様に係る、典型的なロールツーロール印刷の構成を例証する。
【図２０】１つ以上の実施態様に係る、典型的なデジタル印刷の構成を例証する。
【図２１】１つ以上の実施態様に係る、光学画像が様々な個々のラベル上で異なる多くのラベルの印刷ジョブを例証する。
【図２２】１つ以上の実施態様に係る、汎用光学マトリックスを使用して可変デジタル光学画像を作り上げる方法を例証する。
【発明を実施するための形態】
【００１７】
図１は１つ以上の実施態様に係る汎用光学マトリックス（１００）を例証する。描かれるように、汎用光学マトリックス（１００）は、色に対応するピクセル（１０４）と、非色効果に対応するサブピクセル（１０６）とを備えた基板（１０２）を含むことがある。
【００１８】
基板（１０２）は、特定の実施態様に依存して、様々な材料を含むこともあれば、および／または因子を形成することもある。様々な実施態様によれば、汎用光学マトリックス（１００）は、光を反射する（例えば印刷用途で）および／または光を送信する（例えば表示用途で）ように構成されることもある。そのため、基板（１０２）は透明であり、半透明であり、および／または不明瞭なこともある。基板（１０２）は平らなこともありおよび／または湾曲していることもある。基板（１０２）は剛性、半剛性、および／またはフレキシブルであってもよい。いくつかの実施態様では、基板（１０２）は、フォトレジスト、ニッケルプレート、ポリエステルフィルム、シリコン、ポリカーボネートフィルム、紫外線硬化物、および／または他の材料の１つ以上を含むことがある。基板（１０２）は特定の実施態様に従って分類されることもある。様々な実施態様によれば、基板（１０２）は、１つの長さ寸法が０．０１ミクロン（またはそれ以下）の大きさしかなく、および／または１つの長さ寸法が９０インチ（またはそれ以上）と同じくらい大きい領域を覆うこともある。
【００１９】
ピクセル（１０４）はアレイとして基板（１０２）に配置されることもある。アレイ中のピクセル（１０４）の合計数は、基板（１０２）の大きさ、および／または汎用光学マトリックス（１００）の空間解像度に依存することもある。例えば、低解像度は、所定の距離（例えば１メートル、２メートル、１０メートル、５０メートル、および／または他の距離）で見ることができる３Ｄポスターを印刷するために使用されてもよい。高解像度は、マイクロテキストまたはナノテキスト、隠された画像、および／または、他のセキュリティ特徴を備えたラベルに使用されてもよい。様々な実施態様によれば、アレイ中のピクセル（１０４）の数は数百、数千、数百万、数十億、またはその他の量であってもよい。ピクセル（１０４）のアレイは、１インチ当たり１（またはそれ以下）ピクセル〜１インチ当たり５００，０００（またはそれ以上）ピクセルの範囲の解像度を有することもある。ピクセル（１０４）のアレイは、正方格子、六方格子、三角格子、長方形格子、ランダムまたは擬似ランダムな配置、および／または、他の配置の１つ以上として配されてもよい。ピクセル（１０４）の個々は円、正方形、長方形、線、楕円形、角丸正方形、点、および／または、他の形状として形作られることもある。
【００２０】
異なるピクセル（１０４）は様々な色に対応することもある。すなわち、ピクセル（１０４）のうちのいくつかは、光の１つの色を反射および／または送信し、一方で、他のピクセル（１０４）は光の第２の色を反射および／または送信することもある。所定のピクセルの色は所定のピクセルが見える角度に依存することもある。例えば、視角が変わるにつれて、所定のピクセルによって反射または送信される光の色は変化することもある（例えば、目に見える色の範囲を通過することによって）。いくつかの実施態様では、アレイは第１の色に対応する第１のピクセル（１０４）と、第２の色に対応する第２のピクセル（１０４）を含むことがある。第１の色は第２の色とは異なることもある。アレイはさらに第３の色に対応する第３のピクセル（１０４）を含むことがある。第３の色は第１の色と第２の色とは異なることもある。いくつかの実施態様では、アレイはさらに第４の色に対応する第４のピクセル（１０４）を含むことがある。第４の色は、第１の色、第２の色、および第３の色とは異なることもある。要するに、アレイは様々な色の任意の数に対応するピクセルを含むことがある。配色が二成分であるいくつかの実施態様によれば、第１と第２のピクセル（１０４）はそれぞれ青と赤（または他の色）に対応することもある。配色が三成分である（例えばＲＧＢ）いくつかの実施態様では、第１のピクセル（１０４）、第２のピクセル、および第３のピクセルはそれぞれ、赤、緑、および青（または他の色）に対応することもある。配色が四成分（例えばＣＭＹＫ）であるいくつかの実施態様では、第１、第２、第３、および第４のピクセル（１０４）はそれぞれ、シアン、マゼンタ、黄色、および黒（または他の色）に対応することもある。特定の配色は上に記載されているが、他の配色が企図され、かつ本開示の範囲内であることが認識されるであろう。
【００２１】
アレイでは、ピクセル（１０４）はモチーフで配されることもある。一般的に言えば、モチーフは特徴的かつ繰り返しパターンを記載することもある。いくつかの実施態様によれば、第１のピクセル（１０４）と第２のピクセル（１０４）は、第１のピクセル（１０４）の個々が第２のピクセル（１０４）の個々に隣接して位置するように、モチーフで配置されることもある。第３のピクセル（１０４）を有する実施態様では、第３のピクセル（１０４）は、第３のピクセル（１０４）の個々が第１のピクセル（１０４）の個々と第２のピクセル（１０４）の個々に隣接して位置するように、モチーフで配置されることもある。第４のピクセル（１０４）を有する実施態様では、第４のピクセル（１０４）は、第４のピクセル（１０４）の個々が第１のピクセル（１０４）の個々、第２のピクセル（１０４）の個々、および第３のピクセル（１０４）の個々に隣接して位置するように、モチーフで配置されることもある。いくつかの実施態様では、同様のピクセルは互いに隣接していて位置しないこともある（例えば、２つの第１のピクセルは互いに隣接して位置しない）。ピクセル（１０４）は上に議論されるようなモチーフで配置されることもあるが、他の配置も企図され、本開示の範囲内であるため、これは限定的なものとみなされてはならない。例えば、ピクセル（１０４）はアレイ中でランダムに配置されることもある。別の例として、アレイの配列の一部の領域のピクセル（１０４）が第１のモチーフで配置され、アレイの他の領域のピクセル（１０４）が第２のモチーフで配置されるように、複数の様々なモチーフが使用されてもよい。
【００２２】
図２は、１つ以上の実施態様に係るピクセルの典型的なアレイ（２００）を例証する。図２に描かれるように、アレイ（２００）は３つの異なる色に対応するピクセルを含むことがある。ピクセル（２０２）に類似するピクセルは第１の色に対応することもあり、ピクセル（２０４）に類似するピクセルは第２の色に対応することもあり、ピクセル（２０６）に類似するピクセルは第３の色に対応することもある。ピクセル（２０２）に類似するピクセル、ピクセル（２０４）に類似するピクセル、およびピクセル（２０６）に類似するピクセルはそれぞれ、所定のピクセルが異なる色のピクセルに隣接し、かつある共通した色のピクセルがアレイ（２００）全体に均一に分布するように、重ね合わされた六方格子で配置されてもよい。
【００２３】
図１を再度参照すると、所定のピクセル（１０４）は２つ以上のサブピクセル（１０６）を含むことがある。サブピクセル（１０６）は、正方格子、六方格子、三角格子、長方形格子、ランダムまたは擬似ランダムな配置、および／または、他の配置の１つ以上として与えられたピクセル（１０４）内に配されることもある。サブピクセル（１０６）の個々は、円、正方形、長方形、線、楕円形、角丸正方形、点、螺旋形、パターン、および／または、他の形状として形作られてもよい。
【００２４】
図３は、１つ以上の実施態様に係る、サブピクセルを備えたピクセルの典型的なアレイ（３００）を例証する。図３に描かれるように、所定のピクセルは、サブピクセル（３０２）、サブピクセル（３０４）、サブピクセル（３０６）の１つ以上を含むことがある、および／または、他のサブピクセル。サブピクセル（３０２）、サブピクセル（３０４）、および／またはサブピクセル（３０６）は、光学特性および／または物理的特性に関して類似していることもあれば異なることもある。光学特性の例としては、反射率、透過率、吸光率、および／または、他の光学特性の１つ以上が挙げられる。物理的特性の例としては、サイズ、形状、および／または、他の物理的特性が挙げられる。
【００２５】
図１を再度参照すると、サブピクセル（１０６）の個々は非色効果に対応することもある。非色効果は、サブピクセル（１０６）の個々の光学特性および／または物理的特性に起因することもある。こうした非色効果はサブピクセル（１０６）に含まれる光学構造によって達成されることもある。所定のサブピクセル（１０６）の光学構造としては、罫線の入った回折格子、レーザー回折格子、光子の回折格子、ｅ−ビーム回折格子、イオンビーム回折格子、ナノホールによって作成された回折格子、ホログラム、三次元のナノ構造、キネグラム（ｋｉｎｅｇｒａｍ）、光子の構造体、フレネルレンズ、電子ビームグリッド、エクセルグラム（ｅｘｅｌｇｒａｍ）、光学可変機構（ＯＶＤ）、回折光学可変画像装置（ＤＯＶＩＤ）、ゼロ次（ｚｅｒｏ  ｏｒｄｅｒ）装置、ピクセルグラム（ｐｉｘｅｌｇｒａｍ）（例えば、オーストラリアのＣＳＩＲＯによって提供されるような）、ホログラフィックステレオグラム、回折識別装置（ＤＩＤ）、誘電体構造、体積ホログラム、液晶、干渉セキュリティ画像構造（ＩＳＩＳ）、計算機ホログラム、電子ビーム回折格子、および／または、他の光学構造の１つ以上が挙げられてもよい。いくつかの実施態様では、所定の光学構造は、０．０１ミクロンから１０００ミクロンの範囲の長さ寸法を有する物理的特徴を備えていることがある。いくつかの実施態様では、所定のピクセル（１０４）のサブピクセル（１０６）の光学構造は、いくつかの反射／送信が汎用光学マトリックス（１００）を見る人の右目に行き、他の反射／送信が左目に行くように、構成されてもよい。
【００２６】
サブピクセル（１０６）の個々の光学構造は、１つ以上の条件を満たす光を反射および／または送信するように構成される（および／または物理的に構造化される）こともある。例えば、所定のピクセル（１０４）は第１のサブピクセル（１０６）と第２のサブピクセル（１０６）を含むことがある。第１のサブピクセル（１０６）は、第１の条件を満たす光を反射および／または送信するように構成された光学構造を含むことがある。第２のサブピクセル（１０６）は、第２の条件を満たす光を反射および／または送信するように構成された光学構造を含むことがある。第１の条件は第２の条件とは異なることもある。第１のサブピクセル（１０６）と第２のサブピクセル（１０６）により反射および／または送信された光は、所定のピクセル（１０４）の対応する色であってもよい。所定のピクセル（１０４）は第３のサブピクセル（１０６）と第４のサブピクセル（１０６）を含むことがある。第３のサブピクセル（１０６）は、第３の条件を満たす光を反射および／または送信するように構成された光学構造を含むことがある。第４のサブピクセル（１０６）は、第４の条件を満たす光を反射および／または送信するように構成された光学構造を含むことがある。第３のサブピクセル（１０６）と第４のサブピクセル（１０６）によって反射および／または送信された光は、所定のピクセル（１０６）の対応する色である。第３の条件は、第１の条件、第２の条件、および第４の条件とは異なることもある。ここでは４つの条件だけを記載しているが、実施態様によっては任意の数の条件があってもよい。
【００２７】
反射および／または送信に関連する条件は、視角、視距離、偏光、強度、散乱、屈折率、複屈折、および／または、他の条件の１つ以上に関する条件を含むことがある。上記の段落、第１の条件、および第２の条件の例を継続することは、第１の視角に関することもある。第１の条件は、第１のサブピクセル（１０６）の光学構造によって反射または送信された光が第１の視角から汎用光学マトリックス（１００）を観察している人の左目の方に向けられるというものであってもよい。第２の条件は、第２のサブピクセル（１０６）の光学構造によって反射または送信された光が第１の視角から汎用光学マトリックス（１００）を観察している人の右目の方に向けられるというものであってもよい。第３の条件と第４の条件は第２の視角に関することもある。第３の条件は、第３のサブピクセル（１０６）の光学構造によって反射または送信された光が第２の視角から汎用光学マトリックス（１００）を観察している人の左目の方に向けられるというものであってもよい。第４の条件は、第４のサブピクセル（１０６）の光学構造によって反射または送信された光が第２の視角から汎用光学マトリックス（１００）を観察している人の右目の方に向けられるというものであってもよい。第１の視角は第２の視角とは異なることもある。
【００２８】
上記の段落、第１の条件、および第２の条件の例を継続することは、第１の視距離に関することもある。第１の条件は、第１のサブピクセル（１０６）の光学構造によって反射または送信された光が第１の視距離から汎用光学マトリックス（１００）を観察している人の左目の方に向けられるというものであってもよい。第２の条件は、第２のサブピクセル（１０６）の光学構造によって反射または送信された光が第１の視距離から汎用光学マトリックス（１００）を観察している人の右目の方に向けられるというものであってもよい。第３の条件と第４の条件は第２の視距離に関することもある。第３の条件は、第３のサブピクセル（１０６）の光学構造によって反射または送信された光が第２の視距離から汎用光学マトリックス（１００）を観察している人の左目の方に向けられるというものであってもよい。第４の条件は、第４のサブピクセル（１０６）の光学構造によって反射または送信された光が第２の視距離から汎用光学マトリックス（１００）を観察している人の右目の方に向けられるというものであってもよい。第１の視距離は第２の視距離とは異なることもある。いくつかの実施態様では、画像は、ダイナミックな光学的効果などのために１つの目（または視点）だけで見える汎用光学マトリックスから作成されてもよい。
【００２９】
上記の段落中の例をさらに継続するとして、第１の条件と第２の条件は偏光に関することもある。第１の条件は、第１のサブピクセル（１０６）の光学構造によって反射または送信された光が第１の偏光を有するということであってもよい。第２の条件は、第２のサブピクセル（１０６）の光学構造によって反射または送信された光が第２の偏光を有するということであってもよい。第１の偏光は第２の偏光とは異なることもある。
【００３０】
図４は、１つ以上の実施態様に係る、色に対応するピクセルと、非色効果に対応するサブピクセルとを有する汎用光学マトリックスを作り上げる方法（４００）を例証する。以下に提示された方法（４００）の操作は例示的であるように意図されている。いくつかの実施態様では、方法（４００）は、記載されていない１つ以上の追加の操作を用いて、および／または議論された１つ以上の操作を用いずに達成されることもある。さらに、方法（４００）の操作が図４に例証され以下に記載されている順序は、制限的であるようには意図されていない。
【００３１】
工程（４０２）において、基板が得られることもある。１つ以上の実施態様に合わせて、基板は図１に関連して記載された基板（１０２）と同じこともあれば、類似することもある。
【００３２】
工程（４０４）において、基板上に配置されたピクセルのアレイが定義されることもある。アレイは第１の色に対応する第１のピクセルと第２の色に対応する第２のピクセルとを含むことがある。第１の色は第２の色とは異なることもある。第１のピクセルと第２のピクセルは、第１のピクセルの個々が第２のピクセルの個々に隣接して位置するようなモチーフで配されてもよい。１つ以上の実施態様に合わせて、ピクセルは図１に関連して記載されたピクセル（１０４）と同じこともあれば、類似することもある。
【００３３】
工程（４０６）において、サブピクセルはピクセルの個々の内部に形成されることもある。所定のピクセルは第１のサブピクセルと第２のサブピクセルを含むこともある。第１のサブピクセルは、第１の条件を満たす光を反射または送信するように構成された光学構造を含むことがある。第２のサブピクセルは、第２の条件を満たす光を反射または送信するように構成された光学構造を含むことがある。第１の条件は第２の条件とは異なることもある。第１のサブピクセルと第２のサブピクセルによって反射または送信された光は、所定のピクセルの対応する色であってもよい。１つ以上の実施態様に合わせて、サブピクセルは図１に関連して記載されたサブピクセル（１０６）と同じこともあれば、類似することもある。
【００３４】
図５は、１つ以上の実施態様に係る、所望の画像と汎用光学マトリックスに基づいて可変デジタルホログラフィック画像ネガを生成するために構成されたシステム（５００）を例証する。いくつかの実施態様では、システム（５００）はサーバー（５０２）を含むことがある。サーバー（５０２）はクライアント／サーバーアーキテクチャに従って、１つ以上のクライアントコンピューティングプラットフォーム（５０４）と通信するように構成されることもある。ユーザーはクライアントコンピューティングプラットフォーム（５０４）によってシステム（５００）にアクセスすることもある。サーバー（５０２）は機械判読可能命令（５０６）を実行するように構成されてもよい。機械可読命令（５０６）は、画像取り込みコンポーネント（５０８）、汎用光学マトリックス取り込みコンポーネント（５１０）、色分解コンポーネント（５１２）、インデックス化コンポーネント（５１４）、ネガコンポーネント（５１６）、および／または、他のコンポーネントの１つ以上を含むことがある。
【００３５】
画像取り込みコンポーネント（５０８）は原画像を獲得するように構成されることもある。原画像は、撮影され、描かれ、および／または他の方法で目に見えるように作られる人、動物、または物の物理的な類似または表現を含むことがある。原画像は電子形式であってもよい。電子形式の例は、ＪＰＥＧ、ＴＩＦＦ、ＧＩＦ、ＢＭＰ、ＰＮＧ、ＤＤＳ、ＴＡＲＧＡ、ＤＷＧ、ＰＲＴ、ＣＭＸ、ＥＰＳ、ＳＶＧ、ＳＴＬ、ＡＲＴ、Ａｌ、ＰＳＤ、ＰＭＤ、ＱＸＤ、ＤＯＣ、３ＤＳ、ＢＬＥＮＤ、ＤＦＦ、ＦＢＸ、ＭＡ、ＭＡＸ、ＳＫＰ、ＶＲＭＬ、ＢＡＴ、ＪＳＦＬ、ＣＬＳ、ＪＡＶＡ（登録商標）、ＭＰＥＧ、ＲＭ、ＳＷＦ、ＰＡＧＥＳ、ＰＣＸ、ＰＤＤ、ＳＬＤＡＳＭ、ＷＲＬ、および／または、他の電子形式の１つ以上を含むことがある。原画像はシステム（５００）および／または外部リソース（５１８）内のソースから得られることもある。図６は、本出願の全体にわたって説明目的に使用された典型的な原画像（６００）を例証する。典型的な原画像（６００）は、前景中の図と、前景と背景中の複数の形状と、様々な色と印影のすべてを描いている。任意の画像が原画像として使用されてもよいことから、典型的な原画像（６００）は１つ以上の実施態様に合わせてまったく限定されない。
【００３６】
図５を再度参照すると、汎用光学マトリックス取り込みコンポーネント（５１０）は、汎用光学マトリックスに関連した幾何学的形状を得るように構成されることもある。汎用光学マトリックスは、色に対応するピクセルと非色効果に対応するサブピクセルとを有することもある。汎用光学マトリックスの典型的な実施態様は上記のとおりである。ピクセルは第１の色に対応する第１のピクセルと、第２の色に対応する第２のピクセルとを含むことがある。ピクセルはさらに第３の色に対応する第３のピクセルを含むことがある。ピクセルはさらに第４の色に対応する第４のピクセルを含むことがある。第１、第２、第３、および、第４の色はすべて互いとは異なってもよい。いくつかの実施態様では、ピクセルは赤、緑、および青（ＲＧＢ）に対応することもある。いくつかの実施態様では、ピクセルはシアン、マゼンタ、黄色、および黒（ＣＭＹＫ）に対応することもある。様々な実施態様によれば、ピクセルは任意の数の色に対応することもある。
【００３７】
汎用光学マトリックスのサブピクセルは、第１の非色効果に対応する第１のサブピクセルと、第２の非色効果に対応する第２のサブピクセルを含むことがある。サブピクセルはさらに、第３の非色効果に対応する第３のサブピクセルを含んでいる。サブピクセルはさらに、第４の非色効果に対応する第４のサブピクセルを含んでいる。様々な実施態様によれば、サブピクセルは任意の数の非色効果に対応することもある。非色効果の例としては、視角、視距離、偏光、強度、散乱、屈折率、複屈折、および／または、他の非色効果の１つ以上に関することもある。いくつかの実施態様では、第１の非色効果に対応する第１のサブピクセルは、第１のサブピクセルによって反射または送信された光を、第１の視角から汎用光学マトリックスを観察している人の左目の方に向かわせるように構成されることもある。第２の非色効果に対応する第２のサブピクセルは、第２のサブピクセルによって反射または送信された光を、第１の視角から汎用光学マトリックスを観察している人の右目の方に向かわせるように構成されることもある。
【００３８】
汎用光学マトリックスに関連した幾何学的形状は、汎用光学マトリックス中のピクセルの位置と色を示すこともある。幾何学的形状はピクセル内のサブピクセルの位置と非色効果を示すこともある。いくつかの実施態様では、幾何学的形状は、個々のピクセルおよび／またはサブピクセルに関連する情報を伝えることもある。いくつかの実施態様では、幾何学的形状は、配置、間隔、形状、モチーフ、パターン、および／または個々のピクセルおよび／またはサブピクセルの集合体に関連する他の情報などの、個々のピクセルおよび／またはサブピクセルの集合体に関連する情報を伝えることもある。
【００３９】
色分解コンポーネント（５１２）は２つ以上の分解をもたらすために原画像上で色分解を行うように構成されることもある。一般的に言えば、分解は画像の単一色コンポーネントを表すこともある。非限定的な例として、分解は第１の分解と第２の分解を含むことがある。第１の分解は、汎用光学マトリックスの第１のピクセルに対応する第１の色に対応することもある。第２の分解は、汎用光学マトリックスの第２のピクセルの第２の色に対応することもある。第３の色に対応する第３のピクセルを有する実施態様では、分解は第３の色に対応する第３の分解を含むことがある。第４の色に対応する第４のピクセルを有する実施態様では、分解は第４の色に対応する第４の分解を含むことがある。様々な実施態様によれば、任意の数の分解があってもよい。図７のＡ、Ｂ、およびＣは、図６の典型的な原画像（６００）に対応する、典型的な分解（７０２）、分解（７０４）、および分解（７０６）をそれぞれ例証する。分解（７０２）は典型的な原画像（６００）の赤色コンポーネントに対応する。分解（７０４）は典型的な原画像（６００）の緑色コンポーネントに対応する。分解（７０６）は典型的な原画像（６００）の青色コンポーネントに対応する。いくつかの実施態様では、個々の色は異なるサブピクセルに基づく１つ以上の分解を有することもある。例えば、フルカラーＲＧＢの３Ｄ画像は一色当たり２つの分解（例えば、左と右）を有してもよく合計して６つの分解になる。いくつかの実施態様では、分解の数は、所望の視角、視距離、視点、および／または他の視認情報の数に対応することもある。
【００４０】
図５を再度参照すると、インデックス化コンポーネント（５１４）は、インデックスを付けられた分解をもたらすために、汎用光学マトリックスに関連する幾何学的形状に対して分解にインデックスを付けるように構成されることもある。上記の段落からの例を継続すると、第１の分解は、第１の非色効果に関連するインデックスを付けた第１の分解をもたらすために、第１の色と第１の非色効果に関連する幾何学的形状にインデックスを付けられることもある。第１の分解は、第２の非色効果に関連するインデックスを付けた第１の分解をもたらすために、第１の色と第２の非色効果とに関する幾何学的形状にインデックスを付けられることもある。第２の分解は、第１の非色効果に関連するインデックスを付けた第２の分解をもたらすために、第２の色と第１の非色効果に関する幾何学的形状にインデックスを付けられることもある。第２の分解は、第２の非色効果に関連するインデックスを付けた第２の分解をもたらすために、第２の色と第２の非色効果に関する幾何学的形状にインデックスを付けられることもある。
【００４１】
いくつかの実施態様では、所定の色に対応する所定の分解は、所定の色に対応する汎用光学マトリックスのピクセルと所定の非色効果に対応するピクセル内のサブピクセルとに空間的に対応する所定の分解の領域を保護することにより、所定の非色効果に関して汎用光学マトリックスに関連した幾何学的形状にインデックスを付けられることもある。所定の分解の非保護領域は消去されることもある。いくつかの実施態様では、所定の色に対応する所定の分解は、所定の色に対応する汎用光学マトリックスのピクセルと所定の非色効果に対応するピクセル内のサブピクセルとに空間的に対応する所定の分解の領域を消去することにより、所定の非色効果に関して汎用光学マトリックスに関連した幾何学的形状にインデックスを付けられることもある。所定の分解の非消失領域は保護されることもある。図８は図６の典型的な原画像（６００）に対応する典型的なインデックスを付けられた分解（８００）を例証する。説明目的のために、典型的なインデックスを付けられた分解（８００）は、典型的な原画像（６００）中に描かれた図の頭部のみを示している。図８では、左のパネルは汎用光学マトリックスにおける赤色に対応するピクセル（８０２）を示す。図８の右のパネルでは、典型的なインデックスを付けられた分解（８００）は、分解（７０２）（図７を参照）のどの領域が図８の左のパネルで示される汎用光学マトリックスのピクセルに空間的に対応しているかを判定することによって作成される。空間的対応がある場合に、分解（７０２）は保護される。空間的対応がない場合に、分解（７０２）は消去される。
【００４２】
図５を再び参照すると、ネガコンポーネント（５１６）は、原画像のネガを提供するためにインデックスを付けた分解を統合するように構成され得る。インデックス化コンポーネント（５１４）と関連して上に挙げられた例を継続して参照すると、第１の非色効果に関係するインデックスを付けた第１の分解、第２の非色効果に関係するインデックスを付けた第１の分解、第１の非色効果に関係するインデックスを付けた第２の分解、および第２の非色効果に関係するインデックスを付けた第２の分解は、保護された領域の空間位置を維持しながら保護された領域を組み合わせることによって統合される。
【００４３】
幾つかの実施態様において、第１の非色効果に関係するインデックスを付けた第１の分解、第２の非色効果に関係するインデックスを付けた第１の分解、第１の非色効果に関係するインデックスを付けた第２の分解、及び第２の非色効果に関係するインデックスを付けた第２の分解は、消去された領域の空間位置を維持しながら消去された領域を組みわせることによって統合される。図９は、図６の典型的な原画像に対応する典型的なネガ（９００）を例証する。例示目的で、典型的なネガ（９００）は、典型的な原画像（６００）に描写された図の頭部領域のみを示す。典型的なネガ（９００）は、インデックスを付けた分解（８００）（図８を参照）を他の色及び／又は非色効果に対応するインデックスを付けた分解と統合させることによって作成され、その結果、保護された領域は、保護された領域の相対的な空間位置を維持しながら組み合わせられた。
【００４４】
図５に戻って参照すると、サーバー（５０２）、クライアントコンピューティングプラットフォーム（５０４）、及び／又は外部リソース（５１８）は、幾つかの実施態様において、１つ以上の電子通信リンクを介して動作可能にリンク付けされ得る。例えば、そのような電子通信リンクは、インターネットのようなネットワーク及び／又は他のネットワークを介して、少なくとも部分的に確立され得る。これは限定するようには意図されておらず、本開示の範囲は、サーバー（５０２）、クライアントコンピューティングプラットフォーム（５０４）、及び／又は外部リソース（５１８）が幾つかの他の通信媒体を介して動作可能にリンク付けされ得る実施態様を含むことが理解される。
【００４５】
与えられたクライアントコンピューティングプラットフォーム（５０４）は、機械可読命令を実行するように構成された１つ以上のプロセッサを含み得る。機械可読命令は、与えられたクライアントコンピューティングプラットフォーム（５０４）に関連付けられた専門家またはユーザーが、システム（５００）及び／又は外部リソース（５１８）をインターフェースで接続することを可能にする、及び／又は本明細書においてクライアントコンピューティングプラットフォーム（５０４）に起因する他の機能性を提供するように構成され得る。限定しない例として、与えられたクライアントコンピューティングプラットフォーム（５０４）は、デスクトップコンピューター、ラップトップコンピューター、ハンドヘルドコンピューター、タブレットコンピューティングプラットフォーム、ＮｅｔＢｏｏｋ、スマートフォン、及び／又は他のコンピューティングプラットフォームの１つ以上を含み得る。
【００４６】
外部リソース（５１８）は、情報のソース、システム（５００）の外部の情報のホスト及び／又はプロバイダー、システム（５００）に参加する外部実体、及び／又は他のリソースを含み得る。幾つかの実施態様において、本明細書において外部リソース（５１８）に起因する機能性の幾つか又はすべては、システム（５００）に含まれたリソースによって提供され得る。
【００４７】
サーバー（５０２）は、電子記憶装置（５２０）、１つ以上のプロセッサ（５２２）、及び／又は他のコンポーネントを含み得る。サーバー（５０２）は、通信線、またはネットワーク及び／又は他のコンピューティングプラットフォームとの情報の交換を可能にするポートを含み得る。図５でのサーバー（５０２）の実例は、限定するようには意図されていない。サーバー（５０２）は、本明細書においてサーバー（５０２）に起因する機能性を提供するために一緒に動作する、複数のハードウェア、ソフトウェア、及び／又はファームウェアのコンポーネントを含み得る。例えば、サーバー（５０２）は、サーバー（５０２）として一緒に動作するコンピューティングプラットフォームのクラウドによって実施され得る。
【００４８】
電子記憶装置（５２０）は、情報を電子的に記憶する非一時的記憶媒体を含み得る。電子記憶装置（５２０）の電子記憶装置媒体は、サーバー（５０２）と一体的に（つまり、実質的に取り外しができない）提供されているシステム記憶装置及び／又は例えばポート（例えば、ＵＳＢポート、ＦｉｒｅＷｉｒｅポートなど）またはドライブ（例えば、ディスクドライブなど）経由でサーバー（５０２）に取り外し可能に接続可能な取り外し可能記憶装置の１つ又は両方を含み得る。電子記憶装置（５２０）は、光学的に読み取り可能な記憶媒体（例えば、光ディスクなど）、磁気的に読み取り可能な記憶媒体（例えば、磁気テープ、磁気ハードドライブ、フロッピードライブなど）、電荷ベースの記憶媒体（例えば、ＥＥＰＲＯＭ、ＲＡＭなど）、ソリッドステートの記憶媒体（例えば、フラッシュドライブなど）、及び／又は他の電子的に読み取り可能な記憶媒体の１つ以上を含み得る。電子記憶装置（５２０）は、１つ以上の仮想ストレージリソース（例えば、クラウド記憶装置、仮想プライベートネットワーク、及び／又は他の仮想ストレージリソース）を含み得る。電子記憶装置（５２０）は、ソフトウェアアルゴリズム、プロセッサ（５２２）によって決定された情報、サーバー（５０２）から受信した情報、クライアントコンピューティングプラットフォーム（５０４）から受信した情報、及び／又はサーバー（５０２）が本明細書に記載されるように機能することを可能にする他の情報を記憶し得る。
【００４９】
プロセッサ（５２２）は、サーバー（５０２）において情報処理能力を提供するように構成され得る。そのため、プロセッサ（５２２）は、デジタルプロセッサ、アナログプロセッサ、情報を処理するように設計されたデジタル回路、情報を処理するように設計されたアナログ回路、状態機械、及び／又は情報を電子的に処理するための他の機構の１つ以上を含み得る。プロセッサ（５２２）は、単一の実体として図５に示されるが、これは例証目的のみである。幾つかの実施態様では、プロセッサ（５２２）は複数の処理装置を含み得る。これらの処理装置は同じ装置内に物理的に位置付けらえ得るか、あるいはプロセッサ（５２２）が、連携して動作する複数の装置の処理機能を表わし得る。プロセッサ（５２２）は、機械可読命令コンポーネント（５０８）、（５１０）、（５１２）、（５１４）、（５１６）、及び／又は他のコンポーネントを実行するように構成され得る。プロセッサ（５２２）は、機械可読命令コンポーネント（５０８）、（５１０）、（５１２）、（５１４）、（５１６）、及び／又はソフトウェア、ハードウェア、ファームウェア、ソフトウェア、ハードウェア及び／又はファームウェアの幾つかの組み合わせ、及び／又はプロセッサ（５２２）上の処理能力を構成するための他の機構による、他のコンポーネントを実行するように構成され得る。本明細書で使用されるように、用語「機械可読命令コンポーネント」は、機械可読命令コンポーネントに起因する機能性を実行するコンポーネントまたはコンポーネントのセットを指し得る。これは、機械可読命令の実行中の１つ以上の物理的なプロセッサ、機械可読命令、回路、ハードウェア、記憶媒体、及び／又は他のコンポーネントを含み得る。
【００５０】
機械可読命令コンポーネント（５０８）、（５１０）、（５１２）、（５１４）、および（５１６）は、単一の処理装置内に実施されているものとして図５に示されるが、プロセッサ（５２２）が多重処理装置を含む実施態様では、機械可読命令コンポーネント（５０８）、（５１０）、（５１２）、（５１４）、及び／又は（５１６）の１つ以上が、他の機械可読命令コンポーネントから遠隔に実施され得ることが認識されるべきである。本明細書に記載される異なる機械可読命令コンポーネント（５０８）、（５１０）、（５１２）、（５１４）、及び／又は（５１６）によって提供される機能性及の記載は、例示目的であり、機械可読命令コンポーネント（５０８）、（５１０）、（５１２）、（５１４）、及び／又は（５１６）のいずれかが、多かれ少なかれ記載されるよりも機能性を提供し得るため、限定するようには意図されていない。例えば、機械可読命令コンポーネント（５０８）、（５１０）、（５１２）、（５１４）、及び／又は（５１６）の１つ以上は除去されてもよいか、あるいはその機能性の幾つか又はすべてが、他の機械可読命令コンポーネント（５０８）、（５１０）、（５１２）、（５１４）、及び／又は（５１６）によって提供されてもよい。別の例として、プロセッサ（５２２）は、本明細書において機械可読命令コンポーネント（５０８）、（５１０）、（５１２）、（５１４）、及び／又は（５１６）の１つに起因する機能性の幾つか又はすべてを実行し得る１つ以上の追加の機械可読命令コンポーネントを実行するように構成され得る。
【００５１】
図１０は、１つ以上の実施態様に従った、望ましい画像および汎用光学マトリックスに基づいた可変デジタルホログラフィック画像のネガを生成する方法（１０００）を例証する。下に示された方法（１０００）の動作は、例示を意図している。幾つかの実施態様では、方法（１０００）は、記載されていない１つ以上の追加の動作を用いて、及び／又は議論される動作の１つ以上を用いることなく、達成され得る。さらに、図１０で例証される且つ以下に記載される方法（１０００）の動作の順番は、限定するようには意図されていない。
【００５２】
幾つかの実施態様では、方法（１０００）は、１つ以上の処理装置（例えば、デジタルプロセッサ、アナログプロセッサ、情報を処理するように設計されたデジタル回路、情報を処理するように設計されたアナログ回路、状態機械、及び／又は情報を電子的に処理するための他の機構）において実施され得る。１つ以上の処理装置は、電子記憶媒体上に電子的に記憶された命令に応じて方法（１０００）の動作の幾つか又はすべてを実行する１つ以上の装置を含み得る。１つ以上の処理装置は、方法（１０００）の動作の１つ以上の実行のために具体的に設計される、ハードウェア、ファームウェア、及び／又はソフトウェアによって構成された１つ以上の装置を含み得る。
【００５３】
動作（１００２）で、原画像が得られ得る。動作（１００２）は、１つ以上の実施態様に従って、画像取り込みコンポーネント（５０８）と同じであるか又は類似した画像取り込みコンポーネントを実行するように構成された１つ以上のプロセッサによって実施され得る。
【００５４】
動作（１００４）では、汎用光学マトリックスに関連付けられた幾可学的形状が得られ得る。汎用光学マトリックスは、色に対応するピクセル、および非色効果に対応するサブピクセルを有し得る。ピクセルは第１の色に対応する第１のピクセル、および別の色に対応する第２のピクセルを含み得る。サブピクセルは、第１の非色効果に対応する第１のサブピクセル、および第２の非色効果に対応する第２のサブピクセルを含み得る。幾可学的形状は、汎用光学マトリックス中のピクセルの位置および色を示し得る。幾可学的形状は、ピクセル内のサブピクセルの位置および非色効果を示し得る。動作（１００４）は、１つ以上の実施態様に従って、汎用光学マトリックス取り込みコンポーネント（５１０）と同じであるか又は類似した汎用光学マトリックス取り込みコンポーネントを実行するように構成された１つ以上のプロセッサによって実施され得る。
【００５５】
動作（１００６）では、第１の分解および第２の分解を含む２つ以上の分解を提供するために、原画像上で色分解が実行され得る。第１の分解は第１の色に対応し、第２の分解は第２の色に対応し得る。動作（１００６）は、１つ以上の実施態様に従って、色分解コンポーネント（５１２）と同じであるか又は類似した色分解コンポーネントを実行するように構成された１つ以上のプロセッサによって実施され得る。
【００５６】
動作（１００８）では、分解は、インデックスを付けた分解を提供するために、汎用光学マトリックスに関連付けられた幾可学的形状にインデックス付けされ得る。第１の分解は、第１の非色効果に関連付けられたインデックスを付けた第１の分解を提供するために、第１の色および第１の非色効果に関する幾可学的形状にインデックス付けされ得る。第１の分解は、第２の非色効果に関連付けられたインデックスを付けた第１の分解を提供するために、第１の色および第２の非色効果に関する幾可学的形状にインデックス付けされ得る。第２の分解は、第１の非色効果に関連付けられたインデックスを付けた第２の分解を提供するために、第２の色および第１の非色効果に関する幾可学的形状にインデックス付けされ得る。第２の分解は、第２の非色効果に関連付けられたインデックスを付けた第２の分解を提供するために、第２の色および第２の非色効果に関する幾可学的形状にインデックス付けされ得る。動作（１００８）は、１つ以上の実施態様に従って、インデックス化コンポーネント（５１４）と同じであるか又は類似したインデックス化コンポーネントを実行するように構成された１つ以上のプロセッサによって実施され得る。
【００５７】
動作（１０１０）では、インデックスを付けた分解は、原画像のネガを提供するために統合され得る。動作（１０１０）は、１つ以上の実施態様に従って、ネガコンポーネント（５１６）と同じであるか又は類似したネガコンポーネントを実行するように構成された１つ以上のプロセッサによって実施され得る。
【００５８】
図１１は、１つ以上の実施態様に従った、汎用光学マトリックスを使用して、可変デジタル光学画像を作り上げるために形成されたシステム（１１００）を例証する。典型的な実施態様では、システム（１１００）は、画像ネガコンポーネント（１１０２）、画像生成コンポーネント（１１０４）、及び／又は他のコンポーネントの１つ以上を含み得る。システム（１１００）の１つ以上のコンポーネントは、機器（１１０５）に含まれ得る。機器（１１０５）は、従来の印刷機器、ロールツーロール型の印刷機器、エンボス加工機器、デジタル印刷機器、デスクトップ印刷機器、ディスプレイスクリーン（例えば３Ｄディスプレイ）、印刷装置、印刷アクセサリー、印刷サプライ品、フレキソ印刷機器、オフセット印刷機、輪転グラビア印刷機器、脱金属化機器（ｄｅｍｅｔａｌｌｉｚｉｎｇ ｅｑｕｉｐｍｅｎｔ）、シルクスクリーン印刷機、インクジェット機器、ハロゲン化銀写真機器、及び／又は他の機器の１つ以上を含み得る。
【００５９】
画像ネガコンポーネント（１１０２）は、ベース画像に対応するネガ（１１０６）を保持するように構成され得る。ベース画像は、人、動物、及び／又は撮影される、描かれる、及び／又はそうでなければ目に見えるようにされる物の物理的な類似または表現を含み得る。様々な実施態様によると、本明細書においてさらに議論されるように、ネガ（１１０６）は、物理的な基板上で具現化され得るか、電子フォーマットで有り得る。そのため、画像ネガコンポーネント（１１０２）は、ネガ（１１０６）を具現化する物理的な基板を物理的に保存するように構成された物理器械を含み得る。画像ネガコンポーネント（１１０２）は、電子フォーマットでネガ（１１０６）を記憶するように構成された電子記憶装置を含み得る。画像ネガコンポーネント（１１０２）は、システム（１１００）の１つ以上の他のコンポーネントにネガ（１１０６）に関連付けられた情報を提供するように構成された１つ以上のプロセッサを含み得る。
【００６０】
ネガ（１１０６）は、ベース画像および汎用光学マトリックスに関連付けられたと幾可学的形状に基づき得る。ネガを生成するための典型的な実施態様は上に記載されている。汎用光学マトリックスは、色に対応するピクセルおよび非色効果に対応するサブピクセルを有し得る。例えば、ピクセルは、第１の色に対応する第１のピクセルおよび第２の色に対応する第２のピクセルを含み得る。サブピクセルは、第１の非色効果に対応する第１のサブピクセルおよび第２の非色効果に対応する第２のサブピクセルを含み得る。幾可学的形状は、汎用光学マトリックス中のピクセルの位置および色を示し得る。幾可学的形状は、ピクセル内のサブピクセルの位置および非色効果を示し得る。図１２は、１つ以上の実施態様に従った、汎用光学マトリックス（１２００）を例証する。描写されるように、汎用光学マトリックス（１２００）は、色に対応するピクセル（１２０４）および非色効果に対応するサブピクセル（１２０６）を備えた基板（１２０２）を含み得る。典型的な実施態様において、汎用光学マトリックスは上に記載されている。
【００６１】
図１１を再び参照すると、画像生成コンポーネント（１１０４）が、ネガ（１１０６）に従って、汎用光学マトリックス（１１０８）ピクセル及び／又はサブピクセルを個々に消去する一方で、残りのピクセル及び／又はサブピクセルを保護するように構成され得る。残りのピクセル及び／又はサブピクセルは、ベース画像に対応する光学画像を形成し得る。光学画像は、残りのピクセルに基づいて色づけされ得る。光学画像は、残りのサブピクセルに対応する非色効果を示し得る。残りのサブピクセルの非色効果は、光学画像を見るときに観察可能な１つ以上の光学効果を生じさせ得る。１つ以上の光学効果は、三次元の光学効果、二次元の光学効果、ダイナミックな光学効果、散乱効果、ホログラフィック白色効果、レンズ効果、フレネルレンズ効果、輝度変調効果、リソグラフィック効果、ステレオグラム効果、ナノテキスト及び／又はマイクロテキストの効果、隠し画像効果、モアレ効果、隠しアニメ化パターン効果、秘密レーザー可読（ＣＬＲ）効果、複数背景効果、真珠光沢効果、トゥルーカラー画像効果、ギロシェ効果、アニメーション効果、無色フレネル効果、ダイナミックＣＬＲ画像、キネマティック画像、フルパララックス効果、スクラッチホログラフィック効果、分極効果、透かし効果、金属効果、バイナリ光学構造、フレネルプリズム、及び／又は他の光学効果の１つ以上を含み得る。
【００６２】
残りのサブピクセルの個々は、残りのサブピクセルに関連付けられた個々のピクセルの色に対応する色を用いて具体的な視角で光を反射し得る。幾つかの実施態様によると、光学画像は、ホログラム、ステレオ画像、光学可変装置（ＯＶＤ）ベースの画像、回折光学可変画像、ゼロ次装置（ＺＯＤ）ベースの画像、ブレーズド回折構造ベースの画像、一次装置（ＦＯＺ）ベースの画像、ドットマトリックス画像、ピクセルグラム画像、構造色構造ベースの画像、回折識別装置（ＤＩＤ）ベースの画像、干渉セキュリティ画像構造（ＩＳＩＳ）ベースの画像、キネグラム画像、エクセルグラム（ｅｘｃｅｌｇｒａｍ）画像、回折光学素子ベースの画像、光子構造ベースの画像、ナノホールベースの画像、計算機ホログラム、電子ビームにより生成された光学構造、干渉パターン、及び／又は他の光学画像の１つ以上を含み得る。
【００６３】
幾つかの実施態様によると、人は、具体的な視点または視界窓（例えば、視角及び／又は距離の範囲）から光学画像を見るかもしれない。視点または視界窓を変更することによって（例えば、光学画像を人の目に対して移動させることによって）、観察された光学画像の色は、光学画像に含まれた光学構造の反射特性によって変わり得る。視点または視界窓は、実施態様が限定され得、ここでは光学構造のみが光学画像中で色を提供する。そのような限定を回避するために、光学画像は、対応するピクセル及び／又はサブピクセルで具体的な色を用いて重ね刷りされ得る。例えば、光学画像が赤色として見られる２つのサブピクセル（１つは右目およびもう１つは左目に対するもの）を含んでいる場合、視点または視界窓は比較的小さいかもしれない。しかしながら、これらの２つのサブピクセルを半透明の赤色インクで重ねることによって、視点または視界窓は増加し得、これは、この有色インクが、望ましい方向に光を反射し続ける２つのサブピクセルの虹および光学構造による変更なしで赤色を維持するからである。幾つかの実施態様では、高屈折率のラッカーは、ピクセル及び／又はサブピクセルを消去することなく、半透明インキ及び／又はラッカーを上にして重ね刷りすることを可能にする目的で使用され得る。したがって、幾つかの実施態様は、特定色を反映するが異なる角度で虹全体にわたって変わるか、あるいは視点また視界窓を拡大するのを助ける色フィルターを有する、ピクセル及び／又はサブピクセルを有する光学画像を提供し得る。
【００６４】
幾つかの実施態様では、未消去ピクセルを重ね刷りするために、半透明または透明の材料が使用されてもよい。半透明または透明の材料は、色フィルターとして作用するように構成され得る。色フィルターは、光学画像の観測角度を増大するように構成され得る。半透明または透明の材料は、ラッカー、ＵＶインキ、及び／又は他の材料の１つ以上を含み得る。半透明または透明の材料は高屈折率を有し得る。幾つかの実施態様では、高屈折率は、汎用光学マトリックスのサブピクセルの光学構造を構成する材料の高屈折率より大きいかもしれない。汎用光学マトリックスのサブピクセルの光学構造を構成する材料の屈折率は、およそ１．４かたおよそ１．６の間であり得る。幾つかの実施態様では、高屈折率は、およそ１．７５からおよそ２の間であり得る。高屈折率は２を超え得る。重ね刷りに使用される汎用光学マトリックスと材料との間の屈折率の差の１つの理由は、光学構造が同じ屈折率を有する材料によって覆われるときに、光学構造が消去され得ることにある。幾つかの実施態様では、ピクセル及び／又はサブピクセルの重ね刷りは、半透明または透明なインクより下のピクセル及び／又はサブピクセルが対応する非色効果を提供し続けるフルカラー画像を生成するために、インクを使用してＲＧＢまたはＹＭＣＫの印刷システムで実行され得る。
【００６５】
物理的な基板上で具現化されているネガ（１１０６）は、光学画像を生成するための多くの技術を促進し得る。幾つかの実施態様では、ネガ（１１０６）を具現化する物理的な基板は、ネガ（１１０６）が印刷された透明フィルム、ＵＶラッカーラミネート、ポリカーボネートラミネート、アクリルラミネート、シリコンラミネート、合せガラス、投影ネガ（ｐｒｏｊｅｃｔｉｏｎ ｎｅｇａｔｉｖｅ）、脱金属化基板（ｄｅｍｅｔａｌｌｉｚｅｄ ｓｕｂｓｔｒａｔｅ）、化学エッチング基板、レーザーアブレーションされた基板、イオンエッチング基板、ＵＶ高屈折率基板、及び／又は他の基板を含み得る。
【００６６】
システム（１１００）は、ネガ（１１０６）上の１つ以上のレジストレーションマークを汎用光学マトリックス（１１０８）上の１つ以上の対応するレジストレーションマークと位置合わせされるように構成されたアライナーコンポーネント（１１１０）を含み得る。図１３は、１つ以上の実施態様に従って、ネガおよび汎用光学マトリックスの典型的なレジストレーションマークを例証する。アライナーコンポーネント（１１１０）は、ネガのレジストレーションマーク（１３０２）を汎用光学マトリックスのレジストレーションマーク（１３０４）と位置合わせさせるように構成され得る。アライナーコンポーネント（１１１０）は、ネガのレジストレーションマーク（１３０６）を汎用光学マトリックスのレジストレーションマーク（１３０８）と位置合わせさせるように構成され得る。幾つかの実施態様では、レジストレーションマークは、同じ基板上の汎用光学マトリックスに隣接している記号、汎用光学マトリックス内の記号、光学手段によって作られた及び／又はそれを介して観察可能な記号、及び／又は他の記号の１つ以上を含み得る。レジストレーションマークの例は、薄い線、薄い無彩色線、ＲＧＢ線、散乱線、ホログラフィック白線、回折及び／又はホログラフィックの薄い線、印刷された着色線、及び／又は他の記号の１つ以上を含み得る。幾つかの実施態様では、レジストレーションマークは汎用光学マトリックスに含まれ得、対応するレジストレーションマークは対応するネガに含まれ得る。
【００６７】
幾つかの実施態様では、図１１に戻って参照すると、放射線硬化性材料は、ネガ（１１０６）と汎用光学マトリックス（１１０８）との間に配置され得る。放射線硬化性材料は、硬化されたときに、汎用光学マトリックス（１１０８）の屈折率と同じであるか又は類似し屈折率を有し得る。放射線硬化性材料は、放射線に曝露されたときに硬化されるようになる１つ以上の材料（例えば、液体、ゲル、フィルム及び／又は他の材料）を含み得る。そのような放射線の例は、紫外線、レーザー放射線、電子ビーム放射線、太陽光放射線、ＵＶ ＬＥＤ放射線、及び／又は他の放射線の１つ以上を含み得る。幾つかの実施態様では、放射線硬化性材料は、紫外線光に曝露されたときに硬化されるラッカーを含み得る。放射線硬化性材料は、硬化されたときに透明であり得る。放射線硬化性材料は、硬化されたときに色づけされ得る。
【００６８】
放射線硬化性材料は、硬化されたときに、汎用光学マトリックス（１１０８）に付着、接着、結合及び／又は添付されるようになり得る。そのため、画像生成コンポーネント（１１０４）は、ネガ（１１０６）が位置していない物理的な基板の部分を放射線が通過し、放射線硬化性材料の対応する部分を曝露するように、ネガ（１１０６）を具現化する物理的な基板を放射線に曝露することによって、汎用光学マトリックス（１１０８）のピクセル及び／又はサブピクセルを個々に消去するように構成され得る。放射線硬化性材料の部分は、放射線に曝露されることに応じて硬化され得る。硬化された放射線硬化性材料は、配列されたピクセル及び／又はサブピクセルを消去し得る。例えば、与えられたサブピクセルは、与えられたサブピクセルに関係する光学効果を生じさせるように構成された光学構造を含み得る。放射線硬化性材料が、光学構造の屈折率と同じであるか又は類似した屈折率を有し得るため、光学構造が、硬化された放射線硬化性材料によって埋められるときに、光学構造は、光学効果を提供するその能力を失い得る。幾つかの実施態様では、消去されたピクセル及び／又はサブピクセルは、透明にされ得る。消去されたピクセル及び／又はサブピクセルが透明にされることで、汎用光学マトリックス（１１０８）の基板を、透明にされた消去されたピクセル及び／又はサブピクセルで目に見ることが可能になり得る。汎用光学マトリックスの基板は、透明にされた消去されたピクセル及び／又はサブピクセルが、白く（または他の色）見えるように、白色（または他の色）であり得る。幾つかの実施態様では、ピクセル及び／又はサブピクセルは、化学エッチング、レーザーアブレーション、及び／又は他の技術の１つ以上によって消去され得る。
【００６９】
幾つかの実施態様では、画像生成コンポーネント（１１０４）は、インクを印刷する及び／又はそうでなければ汎用光学マトリックス（１１０８）上に色素を堆積させるように構成され得る。画像生成コンポーネント（１１０４）は、個々のピクセル及び／又はサブピクセル（例えば、保護された及び／又は消去されたピクセル及び／又はサブピクセル）にわたって黒インク及び／又は他の色素を印刷するように構成され得る。画像生成コンポーネント（１１０４）は、残りのピクセル及び／又はサブピクセルの個々にわたって様々な密度で黒を印刷して、残りのピクセル及び／又はサブピクセルの個々の輝度に影響を与えるように構成され得る。黒の密度は、黒の点描密度（ｓｔｉｐｐｌｅ ｄｅｎｓｉｔｙ）、グレースケール、及び／又は黒の密度が表わされ得る他の方法の１つ以上を指し得る。
【００７０】
画像生成コンポーネント（１１０４）によって生成された光学画像は、様々な用途に有用であるように恒久的及び／又は永続性であり得る。例えば、汎用光学マトリックスが複数の左／右のビュー（ｖｉｅｗｓ）とともに作られ得るという事実が原因で、幾つかの実施態様は三次元ディスプレイに適用可能であり得る。三次元ディスプレイの例は、３Ｄコンピュータースクリーン、３Ｄテレビ、３Ｄゲーム用スクリーン、電話スクリーン、 ヘッドマウントディスプレイ、医療モニター、ＬＥＤディスプレイ、ＥＬＤディスプレイ、ＬＣＤディスプレイ、ＯＬＥＤディスプレイ、ＳＥＤディスプレイ、レーザーＴＶディスプレイ、カーボンナノチューブディスプレイ、量子ドットディスプレイ、明視野ディスプレイ、ゲームディスプレイ、及び／又は他の三次元ディスプレイの１つ以上を含み得る。幾つかの実施態様は、汎用光学マトリックスを照射する能力を含み得る。幾つかのそのような実施態様では、ＬＥＤ（または他の発光源）によって形成された背景パネルは、汎用光学マトリックスを用いて見当合わせ（ｒｅｇｉｓｔｅｒｅｄ）され得る。背景パネルの反対の汎用光学マトリックスの側面上で、汎用光学マトリックスでの見当合わせにおいても色フィルターがあり得る。ディスプレイは、テレビ放送用の送信信号に類似した送信信号を受信し得る。送信信号は、１つの画像が右目に当てられ、もう１つの画像が左目に当てられ得るために目に見える、連続的な画像を照射する、したがって連続的な三次元画像を作成する、サブピクセルの個々の光学構造に依存し得る。
【００７１】
幾つかの実施態様は、即席の光学構造を印刷することを促進し得る。例えば、光学画像は、一旦生成されると、ニッケルプレート上及び／又は連続的なローラー上で電気鋳造され得る、透明フィルム上で成型され得る、連続的なローラーの被覆（ｃｏｖｅｒｉｎｇ）上に作られ得る、ニッケルスリーブ上に配置され得る、透明スリーブ上に配置され得る、注型樹脂ローラー上に配置され得る、及び／又は即席の光学構造の印刷を促進し得る。
【００７２】
幾つかの実施態様は、従来のエンボス加工を促進し得る。例えば、光学画像は、画像生成コンポーネント（１１０４）によって作成されると、従来のエンボス加工装置に変換され得る。従来のエンボス加工装置の例は、ニッケルシム、ニッケルローラー、プラスチックシム、プラスチックローラー、成型ローラー、キャスト及び硬化フィルム、コールドスタンピングまたはホットスタンピンクの適用、従来のインク印刷を備えた回転するロールツーロール型のＵＶ硬化機器、及び／又は他の従来のエンボス加工装置の１つ以上を含み得る。従来のエンボス加工装置は、ラベル、パッケージング、セキュリティ文書、ポスター、光学フィルム、セルフクリーニング表面、構造色適用（例えば、モルフォチョウ色）、バイオミメティック構造、及び／又は他の適用の１つ以上などの、様々な用途のために、従来のエンボス加工に合う機器及び／又はＵＶ／ｅＢ成形機器を使用して光学画像に基づいて刻印するために使用され得る従来のアプローチと比較して、典型的な実施態様は、数日間または数週間待つ代わりにたった数分でエンボス加工を行う準備ができる原盤を提供し得る。したがって、典型的な実施態様は、製品を遅れることなくクライアントのために非常に迅速に作り上げることができる利点を従来のエンボス加工の工場に与え得る。
【００７３】
幾つかの実施態様は、従来の印刷機器を用いて使用されてもよい。例えば、光学画像は、画像生成コンポーネント（１１０４）によって作成されると、インクのプリントアウト時の見当合わせにおいて画像を刻印及び／又はマーキングするための印刷機のエンボス加工及び／又は成形のアクセサリーとして使用され得る。従来のアプローチに反して、典型的な実施態様は、光学研究所を持っていない印刷会社を促進し得、なぜなら少なくとも、それが電気鋳造の設備を必要としない、それはエンボス加工機器を必要としない、およびレーザシステムを必要としないからである。
【００７４】
幾つかの実施態様は、ロールツーロール型の印刷機器を用いて使用されてもよい（例えば、図１４を参照）。例えば、従来のプリンターの印刷ステーションでは、刻印用の放射線硬化性材料（例えば、チキソトロピック（ｔｈｉｘｏｔｒｏｐｉｃ）ラッカー、硬化可能なＵＶラッカーまたは被覆材（ｃｏａｔｉｎｇ）及び／又は他の材料）は、刻印及び／又は成形のアクセサリーの前に適用され得る。刻印及び／又は成形のアクセサリーは、既に固定されている画像生成コンポーネント（１１０４）によって作成された光学画像を有し得る。放射線硬化性材料が刻印及び／又は成形のステーションに達すると、光学画像は、圧力、ＵＶ成形、及び／又は他の技術によって、そこに移され得る。ＵＶ成形の場合には、システム（１１００）は、印刷される基板が、フィルムなどの透明基板または紙などの不透明基板であり得ることを考慮に入れ得る。両方のタイプの基板、即ち透明または不透明な材料を成形する目的で、後者はニッケルシムであり得る。
【００７５】
幾つかの実施態様によると、ロールツーロール型の印刷装置におけるシリンダーまたはローラーは、その表面上を移動する基板上で光学画像を成形する目的で、その内部からのＵＶ光によって照射され得る（例えば、図１５を参照）。ＵＶ照射の効果は、その内部において光を伝導するファイバーオプティクスに類似して、全内部反射の物理法則に基づき得る。ＵＶ光は、片側または両側のいずれかから、シリンダーに侵入し得る。シリンダーが透明である場合、ＵＶ光は、全内部反射の現象によって透過され得る。幾つかの実施態様では、シリンダーおよびホログラフィックシム（ｈｏｌｏｇｒａｐｈｉｃ ｓｈｉｍ）は、透明ソリンダーに巻かれた光学画像のＵＶプラスチックコピーを用いて透明であり得る（ニッケルシムの代わり）。
【００７６】
シリンダーは、冷却された循環水が、シリンダーの片側を通って入り、反対側を通って出ることを可能にする、内部キャビティを有し得る（例えば、図１６を参照）。そのような冷却は、刻印及び／又は成形の作業中に刻印フィルムの冷却を維持する助けとなり得る。透明シリンダーまたはローラーの使用が望まれない場合、幾つかの他のタイプのローラーは使用され得、それでもなお光の全内部反射を使用する透明及び／又は不透明び材料の硬化を可能にし得る。基板が刻印及び／又は成形のアクセサリーを囲むとき、出口の領域にラッカーを硬化するためのそれらの間の領域があり得、ここで、狭められ、集められた紫外線光ビームは、２あるいは３インチの出口位置におけるローラー間の圧力に起因している及びラッカーが光の全内部反射による光学特性と接触したときに硬化し始める、サンドイッチ（ｓａｎｄｗｉｃｈ）を照射する。エンボス加工及び／又は成形のローラーは、その表面の温度を十分に冷却したままにしておくために、循環水によって内部が冷却され得る。幾つかの実施態様では、透明シリンダー（例えば、固形または冷却水用のキャビティを備える）は、片側が照射され得、そのため、透明シリンダーの反対側に突き出るレンズとして作用する（薄く狭い高輝度の光の帯（例えば、硬化目的））（例えば、図１６Ａを参照）。
【００７７】
幾つかの実施態様によると、画像生成コンポーネント（１１０４）によって作成された光学画像でエンボス加工及び／又は成形のステーションを使用する代わりに、望ましい光学効果に依存して選択される汎用光学マトリックスが使用され得る。ステーションでは、正特性を有する印刷用ブロックが作成され得る。印刷用ブロックは、放射線硬化性材料（例えば、硬化可能なＵＶラッカー、チキソトロピーラッカー、刻印用のラッカー、及び／又は他の材料）によって基板に画像を移し得る。この部分が見当合わせ時に紫外線乾燥のステーションに到達すると、ラッカーは、それが正確に位置する領域における汎用光学マトリックスにおいて乾燥し得る（例えば、図１７を参照）。
【００７８】
幾つかの実施態様では、紫外線光を用いて以前に刻印及び／又は成形され、適切なレジストレーションマークを備えたその表面上に汎用光学マトリックスを既に有している基板が使用され得る。印刷機がその印刷ステーションの１つにおいて再レジストレーションの能力を有している場合、画像ネガコンポーネント（１１０２）によって保持されたネガの形状から作られる印刷用ブロックが使用され得る。このブロックは、特定のサブピクセルの光学構造を削除する（または消去する）ために必要とされる領域においてのみ見当合わせ時にラッカーを移し得、それによって、最終的な光学画像を作成する幾つかのサブピクセルを保護する。負ブロック（ｎｅｇａｔｉｖｅ ｂｌｏｃｋ）が最終的な光学画像の必要な情報の幾つか又はすべてを含み得ることを思い出してほしい（例えば、図１８を参照）。印刷機の再レジストレーションの能力が使用されない場合、ラッカーは、ランダムに又は特定パターンで適用され得、汎用光学マトリックス基板に対するあらゆる種類の光学効果をもたらす。さらに、基板は、プリントアウトにおいて従来のインクを含み得、すべてのタイプのラベルが作成される（例えば、図１９を参照）。
【００７９】
電子フォーマットにあるネガ（１１０６）は、光学画像を生成するための多くの技術を促進し得る。電子フォーマットの例は、ＪＰＥＧ、ＴＩＦＦ、ＧＩＦ、ＢＭＰ、ＰＮＧ、ＤＤＳ、ＴＡＲＧＡ、ＤＷＧ、ＰＲＴ、ＣＭＸ、ＥＰＳ、ＳＶＧ、ＳＴＬ、ＡＲＴ、Ａｌ、ＰＳＤ、ＰＭＤ、ＱＸＤ、ＤＯＣ、３ＤＳ、ＢＬＥＮＤ、ＤＦＦ、ＦＢＸ、ＭＡ、ＭＡＸ、ＳＫＰ、ＶＲＭＬ、ＢＡＴ、ＪＳＦＬ、ＣＬＳ、ＪＡＶＡ（登録商標）、ＭＰＥＧ、ＲＭ、ＳＷＦ、ＰＡＧＥＳ、ＰＣＸ、ＰＤＤ、ＳＣＴ、ＤＸＦ、ＤＷＦ、ＳＬＤＡＳＭ、ＷＲＬ，及び／又は他の電子フォーマットの１つ以上を含み得る。画像生成コンポーネント（１１０４）は、印刷されるピクセル及び／又はサブピクセルが消去されるようになるように汎用光学マトリックス上に直接、インク、トナー、水性インク、溶媒系インク、ＵＶ硬化可能なインク、熱転写リボンインク、デジタルプリンターインク、インクジェットインク、及び／又は他の材料の１つ以上を印刷するように構成された装置を含み得る。画像生成コンポーネント（１１０４）は、ホットスタンピンク、コールドスタンピング、レーザーアブレーション、化学エッチング、及び／又は他の印刷技術の１つ以上を促進するように構成された装置を含み得る。画像生成コンポーネント（１１０４）に含まれる装置の例は、インクジェットプリンター、レーザープリンター、フレキソ印刷機器、オフセット印刷機、シルクスクリーン印刷機、デジタル印刷機器、輪転グラビア印刷機器、リソグラフィック装置、符号化装置、脱金属化機器、ハロゲン化銀印刷機器、ホットスタンピンク機器、コールドスタンピング機器、及び／又は印刷材料に構成された他の装置の１つ以上を含み得る。
【００８０】
続いて生成された光学画像が、個々の光学画像が他の光学画像とは異なるという点で可変的であるように、電子フォーマットでのネガは変更可能であり得る。例えば、光学画像と続く光学画像は、異なる光学画像に対する異なる可変コードを含み得る。可変コードの例は、一次元バーコード、マトリックスバーコード（例えばＱＲコード（登録商標））、英数字コード、グラフィカルコード、２Ｄコード、連続バーコード、連番、暗号化コード、データマトリックスコード、マトリックス２Ｄコード、Ａｚｔｅｃコード、マキシコード、及び／又は他の可変コードの１つ以上を含み得る。光学画像および続く光学画像は、可変的なオバート（ｏｖｅｒｔ）セキュリティ機能及び／又は可変的なコバート（ｃｏｖｅｒｔ）セキュリティ機能を含み得る。オバートセキュリティ機能は、視覚及び／又は触覚によって原文書（あるいは他の対象）を特定するために使用されるように構成され得る。文書（または他の対象）が写真複写またはスキャンされるときに、コバートセキュリティ機能は明白になり得る。すなわち、コバートセキュリティ機能を起動させるに、追加の作用が必要とされる。
【００８１】
幾つかの実施態様は、デジタル印刷機器を用いて使用されてもよい（例えば、図２０を参照）。デジタル印刷機器の例は、インクジェット印刷、デジタルオフセット印刷、デジタル熱転写印刷、レーザー印刷、印画紙印刷、染料昇華印刷、感熱印刷、ナノグラフィー（例えば、イスラエルのＬａｎｄａ Ｃｏｒｐｏｒａｔｉｏｎによって提供されるような）、電子インク熱転写印刷、トナー印刷、乾式トナー電子写真、及び／又は他のタイプの印刷の１つ以上を促進するように構成された機器を含み得る。汎用光学マトリックスがプリンターまたは他の印刷機器を通り抜けると、ネガが汎用光学マトリックスでの見当合わせにおいて連続的に印刷され得る。ネガが可変的であるときに、光学画像は印刷間で変わり得る。これによって、基板が印刷機器を通り抜けると、印刷機器が異なるデジタル光学画像を印刷することが可能となり得る。従来の技術とは対照的に、典型的な実施態様は、インク印刷をデジタルで変更する及び／又は光学画像を変更し得る。限定しない例として、光学画像がすべてのラベル上で異なる１０，０００のラベルが印刷され得る（例えば、図２１を参照）。これによって、工業用のラベル作成およびパッケージングの他に、運転免許、パスポート、紙幣、公文書、及び／又は他のセキュリティ文書などの、セキュリティ文書においてもより強固なセキュリティが可能になり得る。幾つかの実施態様は、コードの光学的変動性及び／又は光学画像上へと暗号化された他の情報に基づく製品のトラッキングおよび追跡に適用可能であり得る。
【００８２】
単純な印刷可能な基板（つまり、予め印刷された汎用光学マトリックスがない平坦基板）が使用される場合、光学画像は印刷間で変わり得る。幾つかの実施態様によると、基板が印刷機を通って移動するため、デジタル印刷装置は基板上に異なるネガを印刷し得る。ネガの印刷は、インク、金属インク、透明インク、ラッカー、及び／又は他の技術で実行され得る。印刷が終わった後、エンボス加工及び／又は成形の機器が使用され得る。汎用光学マトリックスを備えた転写機構（例えば、ローラー上のフィルム、ニッケル、及び／又は他の機構）は、既に定着しているラッカーに押圧し得、基板が印刷機を通り抜けると、可変的な光学画像が作成される。幾つかの実施態様では、光学構造は、従来のインクに対する見当合わせで印刷され得る。
【００８３】
幾つかの実施態様は、デスクトッププリンターを用いて使用されてもよい。デスクトッププリンターの例は、インクジェットプリンター、レーザープリンター、熱転写リボンプリンター、感熱プリンター、昇華プリンター、写真プリンター、ハロゲン化銀基板プリンター、及び／又は他のデスクトッププリンターの１つ以上を含み得る。画像生成コンポーネント（１１０４）によって生成された光学画像は、セキュリティ文書、化粧紙、ＣＤカバー、オーバーラミネート、セキュリティラミネート、ラベル、ポスター、グリーティングカード、及び／又は他の印刷可能表面の１つ以上に含まれ得る。汎用光学マトリックスは、紙（実用または合成）、フィルム（例えば、酢酸塩、ポリカーボネート、ＰＶＣ、及び／又は他のフィルム）、及び／又は接着剤または温度作動型のコーティング（ｔｅｍｐｅｒａｔｕｒｅ−ａｃｔｉｖａｔｅｄ ｃｏａｔｉｎｇｓ）のある又はない他の基板などの、基板上に刻印及び／又は成形され得る。基板は、デスクトッププリンターと適合可能な適切なシートへと切断され得る。
【００８４】
例えば、汎用光学マトリックスを備えた紙のシートは、デスクトッププリンターへと供給され得る。デスクトッププリンターは、コンピュータ、カメラ、及び／又は別の装置からの情報（例えば、電子フォーマットでのネガ）を受信し得る。その情報に基づいて、ネガ画像は、インクを用いて紙のシートでの見当合わせで印刷され得る、及び／又はレーザーで刻印され得る。そのように、例えば、隠し情報を有するシートの右隅に３Ｄ光学画像を有するという考えがある場合、それは、テキストまたは図面の残りが紙のシート上に印刷されるのと同時に印刷され得る。最終的な結果として、紙のシートは、シートの右隅に光学画像を有してフルカラーまたは白黒で印刷され得る。シート間の変化は限定されない。光学画像は、文書を完全にカバーする光学的透かしとして作成され得る。例えば、紙のシートがパーティーへの招待に関するものである場合、それは、望まれるあらゆる部分に色彩に富んだ光学効果を有し得る（例えば、気球の画像と一致する）。
【００８５】
デスクトッププリンターの使用は、放射線曝露または硬化を必要としないかもしれない。レーザープリンターが使用される場合、１つ以上の追加のレーザーヘッドが加えられてもよく、これは、紙のシート（または他の基板）上で汎用光学マトリックスの光学構造にわたって軽く刻印する。このような刻印は、ピクセル及び／又はサブピクセルを消去するために実行され得る。プリンターがインクジェットプリンターである場合、新しい色がプリンターヘッドに加えられ得る。色の例として、白色及び／又は他の色が挙げられ得る。幾つかの実施態様では、感圧性の汎用光学マトリックスが使用されてもよい。限定しない例として、プリンターは、１つのページ上に多くのラベルを作成し得、これは、光学的に連続し得る及び／又は装飾及び／又は光学的な３Ｄ画像を有し得る。
【００８６】
幾つかの実施態様では、透明基板が汎用光学マトリックスに使用されてもよい。例えば、パスポート、ビザ、運転免許、及び／又は他の文書のために、載せられた材料のシートは、画像生成コンポーネント（１１０４）によって生成されたあらゆるタイプの光学画像を有し得る。光学画像は隠し情報を含み得る。光学画像は連続する光学画像を含み得る。写真を有する文書は、光学的に作成され得、そのため、写真自体は、２Ｄ光学画像、３Ｄ光学画像、アニメ化光学画像、光学的な可変コード、及び／又は人の他の光学画像を含み得る。このような能力を備えるシステムは、現在存在しないため、非常に利点がある。
【００８７】
幾つかの実施態様は光符号化に使用され得る。コードは、すべてのタイプの対象または製品に適用され得る。コードは、可変データ、連番、可変コード、可変バーコード、可変画像、光学可変マトリックスバーコード（例えば、ＱＲコード（登録商標））、２Ｄコード、バーコード、連番、可変データベース、及び／又は他の情報の１つ以上を含み得るという点で可変的であり得る。幾つかの実施態様は、目的のトラッキングに使用され得る。コードは暗号化または解読され得る。幾つかの実施態様では、対象または製品は、連続して可変的な光学画像で符号化され得る。これは、これらの光学画像が連続して隠れたセキュリティ特性も含み得るという事実によりセキュリティの追加の層を加え得る。隠しセキュリティの特性がなくても、符号化とともに使用される典型的な実施形態は、従来の印刷機器上では複写するが不可能である対象または製品に対するセキュリティの層を提供する。
【００８８】
限定しない例として、汎用光学構造が感圧材料上に刻印され得、これは汎用光学マトリックスラベルに使用され得る。そのようなラベルは消費者に配達され得、消費者は、それらをそれらの対象または製品に順に適用し得る。対象または製品が、インクジェット及び／又はレーザー符号化システム内の符号化ラインを通り抜けると、エンコーダーのヘッドに提供されたデジタル情報に基づいて、ポジ画像の生成が生じ得る。符号化のヘッドは、汎用光学マトリックスの光学構造上にインクを置く及び／又はレーザーを使用することによって、それらを消去し得る。結果として、製品がその汎用光学マトリックスラベルを有して移動すると、市場において利用可能な符号化システムは、光学画像をそれらにわたる１つ以上の実施態様に従って作成し得ると同時に、これらの画像は連続して可変的になり得る。
【００８９】
図１１に関連して上に言及されるように、画像ネガコンポーネント（１１０２）は、（例えば、ネガ（１１０６）が電子フォーマットにある実施態様において）電子フォーマットにネガを記憶するように構成された電子記憶装置を含み得る。電子記憶装置は、電子的に情報を記憶する非一時的記憶媒体を含み得る。電子記憶装置の電子記憶装置媒体は、コンピューティング装置及び／又は印刷装置と一体的に（つまり、実質的に取り外しができない）提供されているシステム記憶装置及び／又は例えばポート（例えば、ＵＳＢポート、ＦｉｒｅＷｉｒｅポートなど）またはドライブ（例えば、ディスクドライブなど）経由でコンピューティング装置及び／又は印刷装置に取り外し可能に接続可能な取り外し可能記憶装置の１つ又は両方を含み得る。電子記憶装置は、光学的に読み取り可能な記憶媒体（例えば、光ディスクなど）、磁気的に読み取り可能な記憶媒体（例えば、磁気テープ、磁気ハードドライブ、フロッピードライブなど）、電荷ベースの記憶媒体（例えば、ＥＥＰＲＯＭ、ＲＡＭなど）、ソリッドステートの記憶媒体（例えば、フラッシュドライブなど）、及び／又は他の電子的に読み取り可能な記憶媒体の１つ以上を含み得る。電子記憶装置は、１つ以上の仮想ストレージリソース（例えば、クラウド記憶装置、仮想プライベートネットワーク、及び／又は他の仮想ストレージリソース）を含み得る。電子記憶装置は、ソフトウェアアルゴリズム、プロセッサによって決定された情報、コンピューティング装置及び／又は印刷装置から受信した情報、及び／又は画像ネガコンポーネント（１１０２）が本明細書に記載されるように機能することを可能にする他の情報を記憶し得る。
【００９０】
ネガコンポーネント（１１０２）は、ネガコンポーネント（１１０２）において処理能力を提供するように構成された１つ以上のプロセッサを含み得る。１つ以上のプロセッサは、（例えば、ネガ（１１０６）が電子フォーマットにある実施態様において）システム（１１００）の１つ以上の他のコンポーネントにネガに関連付けられた情報を提供するように構成され得る。そのような情報の例は、ネガを印刷する印刷命令、ネガをコピーまたは記憶する命令、ネガを変更または修正する（例えば、ネガ上のコードの値を変更する）指示、及び／又は他の情報を含み得る。プロセッサは、デジタルプロセッサ、アナログプロセッサ、情報を処理するように設計されたデジタル回路、情報を処理するように設計されたアナログ回路、状態機械、及び／又は情報を電子的に処理するための他の機構の１つ以上を含み得る。幾つかの実施態様では、プロセッサは、複数の処理装置を含み得、これらは、同じ装置または連携して動作する複数の装置内に物理的に位置付けられ得る。プロセッサは、機械可読命令を実行するように構成され得る。プロセッサは、ソフトウェア、ハードウェア、ファームウェア、ソフトウェア、ハードウェア及び／又はファームウェアの幾つかの組み合わせ、及び／又はプロセッサ上の処理能力を構成するための他の機構によって、機械可読命令を実行するように構成され得る。
【００９１】
幾つかの実施態様では、汎用光学マトリックスは、ナノ構造を提供するために使用され得る。そのようなナノ構造の例は、光子構造、疎水構造、ｇｅｃｋｏタイプの構造、及び／又は他のナノ構造の１つ以上を含み得る。限定しない例として、疎水構造はｇｅｃｋｏタイプの構造と組み合わされて、これらの２つの構造を有する光学可変マトリックスが作成され得る。これは、１つ以上の液体を異なるセンサーに導くために、１つ以上の液体を異なる通路に通して導くことを促進し得る。光子構造に関する別の例として、２つ以上の構造が光学可変マトリクス構造において組み合わされて、１つ以上の導波管が提供され得る。
【００９２】
図２２は、１つ以上の実施態様に従って、汎用光学マトリックスを使用して、可変デジタル光学画像を作り上げる方法（２２００）を例証する。下に示される方法（２２００）の動作は、例示を意図している。幾つかの実施態様では、方法（２２００）は、記載されていない１つ以上の追加の動作を用いて、及び／又は議論される動作の１つ以上を用いることなく、達成され得る。さらに、図２２で例証される且つ以下に記載される方法（２２００）の動作の順番は、限定するようには意図されていない。
【００９３】
幾つかの実施態様では、方法（２２００）の１つ以上の動作は、１つ以上の処理装置（例えば、デジタルプロセッサ、アナログプロセッサ、情報を処理するように設計されたデジタル回路、情報を処理するように設計されたアナログ回路、状態機械、及び／又は情報を電子的に処理するための他の機構）において実施され得る。１つ以上の処理装置は、電子記憶媒体上に電子的に記憶された命令に応じて方法（２２００）の動作の幾つか又はすべてを実行する１つ以上の装置を含み得る。１つ以上の処理装置は、方法（２２００）の動作の１つ以上の実行のために具体的に設計される、ハードウェア、ファームウェア、及び／又はソフトウェアによって構成された１つ以上の装置を含み得る。
【００９４】
動作（２２０２）では、ベース画像に対応するネガは保持され得る。ネガは、ベース画像および汎用光学マトリックスに関連付けられたと幾可学的形状に基づき得る。汎用光学マトリックスは、色に対応するピクセルおよび非色効果に対応するサブピクセルを有し得る。ピクセルは、第１の色に対応する第１のピクセルおよび第２の色に対応する第２のピクセルを含み得る。サブピクセルは、第１の非色効果に対応する第１のサブピクセルおよび第２の非色効果に対応する第２のサブピクセルを含み得る。幾可学的形状は、汎用光学マトリックス中のピクセルの位置および色を示し得る。幾可学的形状は、ピクセル内のサブピクセルの位置および非色効果を示し得る。動作（２２０２）は、１つ以上の実施態様に従って、画像ネガコンポーネント（１１０２）と同じであるか又は類似した画像ネガコンポーネントによって実行され得る。
【００９５】
動作（２２０４）では、汎用光学マトリックスのピクセル及び／又はサブピクセルの各々は、残りのピクセル及び／又はサブピクセルを保護しながらネガに従って消去され得る。残りのピクセル及び／又はサブピクセルは、ベース画像に対応する光学画像を形成し得る。光学画像は、残りのピクセルに基づいて色づけされ得る。光学画像は、残りのサブピクセルに対応する非色効果を示し得る。動作（２２０４）は、１つ以上の実施態様に従って、画像生成コンポーネント（１１０４）と同じであるか又は類似した画像生成コンポーネントによって実行され得る。
【００９６】
一態様（「態様１」）は、色に対応するピクセルおよび非色効果に対応するサブピクセルを有している汎用光学マトリックスに関し、該汎用光学マトリックスは、基板；および基板上に配置されるピクセルのアレイを含み、該アレイは、第１の色に対応する第１のピクセルおよび第２の色に対応する第２のピクセルを含み、第１の色は第２の色とは異なるものであり、第１のピクセルと第２のピクセルは、第１のピクセルの個々が第２のピクセルの個々に隣接して位置するようなモチーフで配列されており；ここで、ピクセルの個々はサブピクセルを含み、与えられたピクセルが第１のサブピクセルおよび第２のサブピクセルを含み、該第１のサブピクセルは第１の光学構造を含み、該第１の光学構造は、第１のサブピクセルの第１の光学構造によって反射または透過された光が、第１の視角から汎用光学マトリックスを観察する人の左目に向かって方向付けられるように構成され、該第２のサブピクセルは第２の光学構造を含み、該第２の光学構造は、第２のサブピクセルの第２の光学構造によって反射または透過された光が、第１の視角から汎用光学マトリックスを観察する人の右目に向かって方向付けられるように構成され、第１のサブピクセルおよび第２のサブピクセルによって反射または透過された光は、与えられたピクセルの対応する色である。
【００９７】
別の態様（「態様２」）は、態様１の汎用光学マトリックスに関し、ここで基板は、フォトレジスト、ニッケルプレート、ポリエステルフィルム、シリコン、ポリカーボネートフィルム、または紫外線用基板の１つ以上を含む。
【００９８】
別の態様（「態様３」）は、態様１の汎用光学マトリックスに関し、ここで、アレイは、第３の色に対応する第３のピクセルをさらに含み；第３の色は、第１の色および第２の色とは異なり；および第３のピクセルは、第３のピクセルの個々が、第１のピクセルの個々および第２のピクセルの個々に隣接して位置するようなモチーフで配置される。
【００９９】
別の態様（態様４）は、態様３の汎用光学マトリックスに関し、ここで、アレイは、第４の色に対応する第４のピクセルをさらに含み；第４の色は、第１の色、第２の色、および第３の色とは異なり；および第４のピクセルは、第４のピクセルの個々が、第１のピクセルの個々、第２のピクセルの個々、および第３のピクセルの個々に隣接して位置するようなモチーフで配列される。
【０１００】
別の態様（態様５）は、態様１の汎用光学マトリックスに関し、ここで、与えられたピクセルは、第３のサブピクセルおよび第４のサブピクセルを含み、該第３のサブピクセルは第３の光学構造を含み、該第３の光学構造は、第３のサブピクセルの第３の光学構造によって反射または透過された光が、第２の視角から汎用光学マトリックスを観察する人の左目の方に方向付けられるように構成され、該第４のサブピクセルは第４の光学構造を含み、該第４の光学構造は、第４のサブピクセルの第４の光学構造によって反射または透過された光が、第２の視角から汎用光学マトリックスを観察する人の右目の方に方向付けられるように構成され、第３のサブピクセル及び第４のサブピクセルによって反射または透過された光は、与えられたピクセルの対応する色である。
【０１０１】
別の態様（態様６）は、態様１の汎用光学マトリックスに関し、ここで、与えられた光学構造は、回折格子、ホログラム、キネグラム、フレネルレンズ、回折光学可変画像装置、ピクセルグラム、ホログラフィックステレオグラム、回折識別装置、誘電体構造、体積ホログラム、干渉セキュリティ画像構造、計算機ホログラム、又は電子ビーム回折格子の１つ以上を含む。
【０１０２】
別の態様（態様７）は、態様１の汎用光学マトリックスに関し、ここで、ピクセルのアレイは、正方形格子、六角形格子、三角形格子、長方形格子、ランダム配列、または擬似ランダム配列の１つとして配される。
【０１０３】
別の態様（態様８）は、態様１の汎用光学マトリックスに関し、ここで、ピクセルの個々は、円形、正方形、長方形、直線、楕円形、角丸正方形、またはドットとして形作られる。
【０１０４】
別の態様（態様９）は、態様１の汎用光学マトリックスに関し、ここで、汎用光学マトリックスは、０．０１ミクロンから９０インチの範囲である１つの長さ寸法を有する領域を覆う。
【０１０５】
別の態様（態様１０）は、態様１の汎用光学マトリックスに関し、ここで、ピクセルのアレイは、１インチ当たり１つのピクセルから５００，０００のピクセルまでの範囲の解像度を有している。
【０１０６】
一態様（態様１１）は、色に対応するピクセルおよび非色効果に対応するサブピクセルを有している汎用光学マトリックスを作り上げる方法に関し、該方法は、基板を得る工程；基板上に配置されたピクセルのアレイを画定する工程であって、該アレイは、第１の色に対応する第１のピクセルおよび第２の色に対応する第２のピクセルを含み、第１の色は第２の色とは異なるものであり、第１のピクセルと第２のピクセルは、第１のピクセルの個々が第２のピクセルの個々に隣接して位置するようなモチーフで配列されている、工程；およびピクセルの個々内にサブピクセルを形成する工程であって、与えられたピクセルが第１のサブピクセルおよび第２のサブピクセルを含み、該第１のサブピクセルは第１の光学構造を含み、該第１の光学構造は、第１のサブピクセルの第１の光学構造によって反射または透過された光が、第１の視角から汎用光学マトリックスを観察する人の左目に向かって方向付けられるように構成され、該第２のサブピクセルは第２の光学構造を含み、該第２の光学構造は、第２のサブピクセルの第２の光学構造によって反射または透過された光が、第１の視角から汎用光学マトリックスを観察する人の右目に向かって方向付けられるように構成され、第１のサブピクセルおよび第２のサブピクセルによって反射または透過された光は、与えられたピクセルの対応する色である。
【０１０７】
別の態様（態様１２）は、態様１１の方法に関連し、ここで、アレイは更に第３の色に対応する第３のピクセルを含み；第３の色は第１の色及び第２の色とは異なり；及び第３のピクセルは、第３のピクセルの個々が、第１のピクセルの個々及び第２のピクセルの個々に隣接して位置するようなモチーフ中で配置される。
【０１０８】
別の態様（態様１３）は、態様１１の方法に関連し、ここで、与えられたピクセルは、第３のサブピクセル及び第４のサブピクセルを含み；第３のサブピクセルは、第３の光学構造を含み、第３の光学構造は、第３の光学構造により反射又は送信される光が、第２の視覚から汎用光学マトリックスを観察する人の左目に向けられるように構成され；第４のサブピクセルは、第４の光学構造を含み、第４の光学構造は、第４の光学構造により反射又は送信される光が、第２の視覚から汎用光学マトリックスを観察する人の右目に向けられるように構成され；及び光は、第３のサブピクセル及び第４のサブピクセルにより反射又は送信される。
【０１０９】
１つの態様（態様１４）は、所望の画像及び汎用光学マトリックスに基づいて可変デジタルホログラフィック画像のネガを生成するように構成されたシステムに関連し、該システムは、１以上の物理プロセッサを含み、該物理プロセッサは、原画像を獲得すること；汎用光学マトリックスに関連した幾何学的形状を得ることであって、汎用光学マトリックスは、色に対応するピクセル及び非色効果に対応するサブピクセルを有し、ピクセルは、第１の色に対応する第１のピクセル及び第２の色に対応する第２のピクセルを含み、サブピクセルは、第１の非色効果に対応する第１のサブピクセル及び第２の非色効果に対応する第２のサブピクセルを含み、前記幾何学的形状は、汎用光学マトリックスにおけるピクセルの位置と色を示し、前記幾何学的形状は更に、ピクセル内のサブピクセルの位置と非色効果を示す、こと；第１の色に対応する第１の分解、及び第２の色に対応する第２の分解を含む２以上の分解をもたらすために原画像上で色分解を行うこと；インデックスを付けた分解をもたらすために汎用光学マトリックスに関連した幾何学的形状に対して当該分解にインデックスを付けることであって、第１の分解は、第１の非色効果に関連するインデックスを付けた第１の分解をもたらすために第１の色及び第１の非色効果に関する幾何学的形状にインデックスを付けられ、第１の分解は、第２の非色効果に関連するインデックスを付けた第１の分解をもたらすために第１の色及び第２の非色効果に関する幾何学的形状にインデックスを付けられ、第２の分解は、第１の非色効果に関連するインデックスを付けた第２の分解をもたらすために第２の色及び第１の非色効果に関する幾何学的形状にインデックスを付けられ、第２の分解は、第２の非色効果に関連するインデックスを付けた第２の分解をもたらすために第２の色及び第２の非色効果に関する幾何学的形状にインデックスを付けられる、こと；及び、原画像のネガを提供するためにインデックスを付けられた分解を統合すること、を行うように機械可読命令によって構成される。
【０１１０】
別の態様（態様１５）は、態様１４のシステムに関連し、ここで、ピクセルは更に第３の色に対応する第３のピクセルを含み；及び２以上の分解は更に第３の色に対応する第３の分解を含む。
【０１１１】
別の態様（態様１６）は、態様１４のシステムに関連し、ここで、ピクセルは更に第４の色に対応する第４のピクセルを含み；及び２以上の分解は更に第４の色に対応する第４の分解を含む。
【０１１２】
別の態様（態様１７）は、態様１４のシステムに関連し、ここで、与えられた色に対応する与えられた分解は、与えられた色に対応する汎用光学マトリックスのピクセル、及び与えられた非色効果に対応するピクセル内のサブピクセルに空間的に対応する、与えられた分解の領域を保護することにより、与えられた非色効果に関して汎用光学マトリックスに関連した幾何学的形状にインデックスを付けられ、与えられた分解の非保護領域は消去されている。
【０１１３】
別の態様（態様１８）は、態様１７のシステムに関連し、ここで、第１の非色効果に関連するインデックスを付けた第１の分解、第２の非色効果に関連するインデックスを付けた第１の分解、第１の非色効果に関連するインデックスを付けた第２の分解、及び第２の非色効果に関連するインデックスを付けた第２の分解は、保護された領域の空間位置を維持しながら保護された領域を組み合わせることにより、統合される。
【０１１４】
別の態様（態様１９）は、態様１４のシステムに関連し、ここで、与えられた色に対応する与えられた分解は、与えられた色に対応する汎用光学マトリックスのピクセル、及び与えられた非色効果に対応するピクセル内のサブピクセルに空間的に対応する、与えられた分解の領域を消去することにより、与えられた非色効果に関して汎用光学マトリックスに関連した幾何学的形状にインデックスを付けられ、与えられた分解の未消去領域は保護されている。
【０１１５】
別の態様（態様２０）は、態様１９のシステムに関連し、ここで、第１の非色効果に関連するインデックスを付けた第１の分解、第２の非色効果に関連するインデックスを付けた第１の分解、第１の非色効果に関連するインデックスを付けた第２の分解、及び第２の非色効果に関連するインデックスを付けた第２の分解は、消去された領域の空間位置を維持しながら消去された領域を組み合わせることにより、統合される。
【０１１６】
別の態様（態様２１）は、態様１４のシステムに関連し、ここで、第１の非色効果に対応する第１のサブピクセルは、第１のサブピクセルにより反射又は送信される光を、第１の視覚から汎用光学マトリックスを観察する人の左目に向けさせるように構成され；及び第２の非色効果に対応する第２のサブピクセルは、第２のサブピクセルにより反射又は送信される光を、第１の視覚から汎用光学マトリックスを観察する人の右目に向けさせるように構成される。
【０１１７】
１つの態様（態様２２）は、所望の画像及び汎用光学マトリックスに基づいて可変デジタルホログラフィック画像のネガを生成する方法に関連し、該方法は、機械可読命令により構成される１以上の物理プロセッサにより行われ、該方法は、原画像を得る工程；汎用光学マトリックスに関連した幾何学的形状を得る工程であって、汎用光学マトリックスは、色に対応するピクセル及び非色効果に対応するサブピクセルを有し、ピクセルは、第１の色に対応する第１のピクセル及び第２の色に対応する第２のピクセルを含み、サブピクセルは、第１の非色効果に対応する第１のサブピクセル及び第２の非色効果に対応する第２のサブピクセルを含み、幾何学的形状は、汎用光学マトリックスにおけるピクセルの位置と色を示し、幾何学的形状は更に、ピクセル内のサブピクセルの位置と非色効果を示す、工程；第１の色に対応する第１の分解、及び第２の色に対応する第２分解を含む２以上の分解をもたらすために原画像上で色分解を行う工程；インデックスを付けた分解をもたらすために、汎用光学マトリックスに関連した幾何学的形状への分解にインデックスを付ける工程であって、第１の分解は、第１の非色効果に関連するインデックスを付けた第１の分解をもたらすために第１の色及び第１の非色効果に関する幾何学的形状にインデックスを付けられ、第１の分解は、第２の非色効果に関連するインデックスを付けた第１の分解をもたらすために第１の色及び第２の非色効果に関する幾何学的形状にインデックスを付けられ、第２の分解は、第１の非色効果に関連するインデックスを付けた第２の分解をもたらすために第２の色及び第１の非色効果に関する幾何学的形状にインデックスを付けられ、第２の分解は、第２の非色効果に関連するインデックスを付けた第２の分解をもたらすために第２の色及び第２の非色効果に関する幾何学的形状にインデックスを付けられる、工程；及び、原画像のネガを提供するためにインデックスを付けられた分解を統合する工程を含む。
【０１１８】
別の態様（態様２３）は、態様２２の方法に関連し、ここで、ピクセルは更に第３の色に対応する第３のピクセルを含み；及び２以上の分解は更に第３の色に対応する第３の分解を含む。
【０１１９】
別の態様（態様２４）は、態様２３のシステムに関連し、ここで、ピクセルは更に第４の色に対応する第４のピクセルを含み；及び２以上の分解は更に第４の色に対応する第４の分解を含む。
【０１２０】
別の態様（態様２５）は、態様２２のシステムに関連し、ここで、与えられた色に対応する与えられた分解は、与えられた色に対応する汎用光学マトリックスのピクセル、及び与えられた非色効果に対応するピクセル内のサブピクセルに空間的に対応する、与えられた分解の領域を保護することにより、与えられた非色効果に関して汎用光学マトリックスに関連した幾何学的形状にインデックスを付けられ、与えられた分解の非保護領域は消去されている。
【０１２１】
別の態様（態様２６）は、態様２５のシステムに関連し、ここで、第１の非色効果に関連するインデックスを付けた第１の分解、第２の非色効果に関連するインデックスを付けた第１の分解、第１の非色効果に関連するインデックスを付けた第２の分解、及び第２の非色効果に関連するインデックスを付けた第２の分解は、保護された領域の空間位置を維持しながら保護された領域を組み合わせることにより、統合される。
【０１２２】
別の態様（態様２７）は、態様２２のシステムに関連し、ここで、与えられた色に対応する与えられた分解は、与えられた色に対応する汎用光学マトリックスのピクセル、及び与えられた非色効果に対応するピクセル内のサブピクセルに空間的に対応する、与えられた分解の領域を消去することにより、与えられた非色効果に関して汎用光学マトリックスに関連した幾何学的形状にインデックスを付けられ、与えられた分解の未消去領域は保護されている。
【０１２３】
別の態様（態様２８）は、態様２７のシステムに関連し、ここで、第１の非色効果に関連するインデックスを付けた第１の分解、第２の非色効果に関連するインデックスを付けた第１の分解、第１の非色効果に関連するインデックスを付けた第２の分解、及び第２の非色効果に関連するインデックスを付けた第２の分解は、消去された領域の空間位置を維持しながら消去された領域を組み合わせることにより、統合される。
【０１２４】
別の態様（態様２９）は、態様２２のシステムに関連し、ここで、第１の非色効果に対応する第１のサブピクセルは、第１のサブピクセルにより反射又は送信される光を、第１の視覚から汎用光学マトリックスを観察する人の左目に向けさせるように構成され；及び第２の非色効果に対応する第２のサブピクセルは、第２のサブピクセルにより反射又は送信される光を、第１の視覚から汎用光学マトリックスを観察する人の右目に向けさせるように構成される。
【０１２５】
１つの態様（態様３０）は、非一時的コンピュータ可読記憶媒体に関連し、非一時的コンピュータ可読記憶媒体には命令が統合されており、該命令は、所望の画像及び汎用光学マトリックスに基づいて可変デジタルホログラフィック画像のネガを生成する方法を行なうために１以上の物理プロセッサにより実行可能であり、該方法は、原画像を得る工程；汎用光学マトリックスに関連した幾何学的形状を得る工程であって、汎用光学マトリックスは、色に対応するピクセル及び非色効果に対応するサブピクセルを有し、ピクセルは、第１の色に対応する第１のピクセル及び第２の色に対応する第２のピクセルを含み、サブピクセルは、第１の非色効果に対応する第１のサブピクセル及び第２の非色効果に対応する第２のサブピクセルを含み、前記幾何学的形状は、汎用光学マトリックスにおけるピクセルの位置と色を示し、前記幾何学的形状は更に、ピクセル内のサブピクセルの位置と非色効果を示す、工程；第１の色に対応する第１の分解、及び第２の色に対応する第２分解を含む２以上の分解をもたらすために原画像上で色分解を行う工程；インデックスを付けた分解をもたらすために、汎用光学マトリックスに関連した幾何学的形状への分解にインデックスを付ける工程であって、第１の分解は、第１の非色効果に関連するインデックスを付けた第１の分解をもたらすために第１の色及び第１の非色効果に関する幾何学的形状にインデックスを付けられ、第１の分解は、第２の非色効果に関連するインデックスを付けた第１の分解をもたらすために第１の色及び第２の非色効果に関する幾何学的形状にインデックスを付けられ、第２の分解は、第１の非色効果に関連するインデックスを付けた第２の分解をもたらすために第２の色及び第１の非色効果に関する幾何学的形状にインデックスを付けられ、第２の分解は、第２の非色効果に関連するインデックスを付けた第２の分解をもたらすために第２の色及び第２の非色効果に関する幾何学的形状にインデックスを付けられる、工程；及び、原画像のネガを提供するためにインデックスを付けられた分解を統合する工程を含む。
【０１２６】
別の態様（態様３１）は、態様３０の記憶媒体に関連し、ここで、与えられた色に対応する与えられた分解は、与えられた色に対応する汎用光学マトリックスのピクセル、及び与えられた非色効果に対応するピクセル内のサブピクセルに空間的に対応する、与えられた分解の領域を保護することにより、与えられた非色効果に関して汎用光学マトリックスに関連した幾何学的形状にインデックスを付けられ、与えられた分解の非保護領域は消去されている。
【０１２７】
別の態様（態様３２）は、態様３１の記憶媒体に関連し、ここで、第１の非色効果に関連するインデックスを付けた第１の分解、第２の非色効果に関連するインデックスを付けた第１の分解、第１の非色効果に関連するインデックスを付けた第２の分解、及び第２の非色効果に関連するインデックスを付けた第２の分解は、保護された領域の空間位置を維持しながら保護された領域を組み合わせることにより、統合される。
【０１２８】
別の態様（態様３３）は、態様３０の記憶媒体に関連し、ここで、与えられた色に対応する与えられた分解は、与えられた色に対応する汎用光学マトリックスのピクセル、及び与えられた非色効果に対応するピクセル内のサブピクセルに空間的に対応する、与えられた分解の領域を消去することにより、与えられた非色効果に関して汎用光学マトリックスに関連した幾何学的形状にインデックスを付けられ、与えられた分解の未消去領域は保護されている。
【０１２９】
１つの態様（態様３４）は、汎用光学マトリックスを用いて可変デジタル光学画像を作り上げるために構成されたシステムに関連し、該可変デジタル光学画像は、１つの印刷サイクルで即座に生成された様々な光学画像を含んでおり、前記システムは、ベース画像に対応するネガを保持するように構成された画像ネガコンポーネントであって、前記ネガは、予め準備された物理的な汎用光学マトリックスに関連したベース画像と幾何学的形状に基づくものであり、汎用光学マトリックスは、色に対応するピクセル及び非色効果に対応するサブピクセルの配列されたモチーフを有しており、該ピクセルは、第１の色に対応する第１のピクセル及び第２の色に対応する第２のピクセルを含んでおり、サブピクセルは、第１の非色効果に対応する第１のサブピクセル及び第２の非色効果に対応する第２のサブピクセルを含んでおり、前記幾何学的形状は、汎用光学マトリックスにおけるピクセルの位置と色を示しており、前記幾何学的形状は更に、ピクセル内のサブピクセルの位置と非色効果を示しており、ここで、与えられた非色効果は、視角、視距離、偏光、強度、散乱、屈折率、又は複屈折の１以上に対応するものである、画像ネガコンポーネント；及び、残りのピクセル及び／又はサブピクセルを保護しつつ、ネガに従って汎用光学マトリックスのピクセル及び／又はサブピクセルの個々を消去するように構成される画像生成コンポーネントであって、残りのピクセル及び／又はサブピクセルは、ベース画像に対応する光学画像を形成し、光学画像は、残りのピクセルに基づいて色を付けられ、光学画像は、残りのサブピクセルに対応する非色効果を提示し、ここで、画像生成コンポーネントは、与えられたピクセル及び／又はサブピクセルの上に色素を印刷すること、与えられたピクセル及び／又はサブピクセルの上に放射線硬化性材料を硬化させること、与えられたピクセル及び／又はサブピクセルの化学エッチングを行うこと、又は与えられたピクセル及び／又はサブピクセルをレーザー除去することの１以上により、与えられたピクセル及び／又はサブピクセルを選択的に消去するように構成されている、画像生成コンポーネントを含む。
【０１３０】
別の態様（態様３５）は、態様３４のシステムに関連し、ここで、光学画像は、ホログラム、ステレオ画像、ホログラム、ステレオ画像、光学可変装置ベースの画像、回折光学可変画像、ゼロ次装置ベースの画像、ブレーズド回折構造ベースの画像、一次装置ベースの画像、ドットマトリクス画像、ピクセルグラム画像、構造色構造ベースの画像、回折識別装置ベースの画像、干渉セキュリティ画像構造ベースの画像、キネグラム画像、エクセルグラム画像、回折光学素子ベースの画像、光子構造ベースの画像、ナノホールベースの画像、計算機ホログラム、電子ビームにより生成された光学構造、又は干渉パターンの１以上を含む。
【０１３１】
別の態様（態様３６）は、態様３４のシステムに関連し、ここで、残りのサブピクセルの非色効果は、光学画像を見た時に観察可能な１以上の光学効果を生じさせ、１以上の光学効果は、三次元光学効果、二次元光学効果、ダイナミック光学効果、散乱効果、ホログラフィック白色効果、レンズ効果、フレネルレンズ効果、輝度変調効果、リソグラフィック効果、ステレオグラム効果、ナノテキスト及び／又はマイクロテキスト効果、隠し画像効果、モアレ効果、隠しアニメ化パターン効果、秘密レーザー可読（ＣＬＲ）効果、複数背景効果、真珠光沢効果、トゥルーカラー画像効果、ギロシェ効果、アニメーション効果、無色フレネル効果、ダイナミックＣＬＲ画像、キネマティック画像、フルパララックス効果、スクラッチホログラフィック効果、分極効果、透かし効果、メタリック効果、バイナリ光学構造、又はフレネルプリズムの１以上を含む。
【０１３２】
別の態様（態様３７）は態様３４のシステムに関連し、ここで、残りのサブピクセルの個々は、残りのサブピクセルに関連した個々のピクセルの色に対応する色により、具体的な視角で光を反射する。
【０１３３】
別の態様（態様３８）は、態様３４のシステムに関連し、ここで、ネガは物理基板上で統合される。
【０１３４】
別の態様（態様３９）は、態様３４のシステムに関連し、ここで、物理基板は透明フィルムであり、ネガは透明フィルム上で印刷される。
【０１３５】
別の態様（態様４０）は、態様３９のシステムに関連し、該システムは、汎用光学マトリックス上の１以上の対応するレジストレーションマークにより、ネガ上の１以上のレジストレーションマークを位置合わせするように構成されたアライナーコンポーネントを更に含んでいる。
【０１３６】
別の態様（態様４１）は、態様３９のシステムに関連し、ここで、放射線硬化性材料はネガと汎用光学マトリックスとの間に配置され、放射線硬化性材料は、硬化時に汎用光学マトリックスの屈折率と同じになる又はそれと同様になる屈折率を有している。
【０１３７】
別の態様（態様４２）は、態様４１のシステムに関連し、ここで、放射線硬化性材料は、紫外線光に晒された時に硬化されるラッカー；硬化時に透明又は半透明になるラッカー；又は硬化時に色が付けられるラッカーの、１以上である。
【０１３８】
別の態様（態様４３）は、態様４２のシステムに関連し、ここで、画像生成コンポーネントは、ネガを統合した物理基板を放射線に晒すことにより、ピクセル及び／又はサブピクセルの個々を消去するように構成され、それにより放射線は、ネガが位置付けられていない物理基板の部分を通過して、放射線硬化性材料の対応する部分を晒し、放射線硬化性材料の部分は、放射線への曝露に応じて硬化されるようになり、硬化された放射線硬化性材料は、配置されたピクセル及び／又はサブピクセルを消去する。
【０１３９】
別の態様（態様４４）は、態様３９のシステムに関連し、ここで、個々の消去されたピクセル及び／又はサブピクセルは透明にされ、透明にされた消去されたピクセル及び／又はサブピクセルは、汎用光学マトリックスの基板が、透明にされた消去されたピクセル及び／又はサブピクセルにおいて目に見えるようになることを可能にする。
【０１４０】
別の態様（態様４５）は、態様３９のシステムに関連し、ここで、画像生成コンポーネントは更に、消去されたピクセル及び／又はサブピクセルの個々の上に黒色を印刷するように構成される。
【０１４１】
別の態様（態様４６）は、態様３９のシステムに関連し、ここで、画像生成コンポーネントは更に、残りのピクセル及び／又はサブピクセルの個々の光度に影響を及ぼすために、残りのピクセル及び／又はサブピクセルの個々の上に様々な密度で黒色を印刷するように構成される。
【０１４２】
別の態様（態様４７）は、態様３９のシステムに関連し、ここで、光学画像は、エンボス加工プロセス及び／又はモールド成形プロセスを使用して光学画像のコピーを異なる基板に移すのに印刷プレスにおいて使用可能であり；又は、刻印アプリケーション及び／又は成形アプリケーションのためのニッケルプレート及び／又は刻印可能なスリーブを作るのに使用可能であることの、１つ又はその両方である。
【０１４３】
別の態様（態様４８）は、態様３４のシステムに関連し、ここで、ネガは電子フォーマットである。
【０１４４】
別の態様（態様４９）は、態様４８のシステムに関連し、ここで、画像生成コンポーネントは、印刷されるピクセル及び／又はサブピクセルが消去されるよう、汎用光学マトリックスに直接インク又はトナーが印刷されるように構成された機器を含む。
【０１４５】
別の態様（態様５０）は、態様４９のシステムに関連し、ここで、ネガは、個々の光学画像が他の光学画像とは異なるという点で、連続的に生成された光学画像が可変的となるように、修正可能である。
【０１４６】
別の態様（態様５１）は、態様３４のシステムに関連し、ここで、光学画像及び連続光学画像は、異なる光学画像に関して異なる可変コードを含んでおり、該可変コードは、一次元バーコード、マトリックスバーコード、英数字コード、グラフィカルコード、２Ｄコード、連続バーコード、連番、暗号化コード、データマトリックスコード、マトリックス２Ｄコード、Ａｚｔｅｃコード、又はマキシコードの１以上を含む。
【０１４７】
別の態様（態様５２）は、態様５１のシステムに関連し、ここで、光学画像及び連続光学画像は、可変的オバートセキュリティ機能又は可変的コバートセキュリティ機能の１つ又は両方を含んでいる。
【０１４８】
１つの態様（態様５３）は、汎用光学マトリックスを用いて可変デジタル光学画像を作り上げる方法に関連し、該可変デジタル光学画像は、１つの印刷サイクルで同じ画像領域上で即座に生成された様々な印刷光学画像を含んでおり、前記方法は、ベース画像に対応するネガを保持する工程であって、ネガは、予め準備した物理的な汎用光学マトリックスに関連したベース画像と幾何学的形状に基づくものであり、汎用光学マトリックスは、色に対応する静的な物理ピクセル及び非色効果に対応するサブピクセルの配列されたモチーフを有し、ピクセルは、第１の色に対応する第１のピクセル及び第２の色に対応する第２のピクセルを含み、サブピクセルは、第１の非色効果に対応する第１のサブピクセル及び第２の非色効果に対応する第２のサブピクセルを含み、前記幾何学的形状は、汎用光学マトリックスにおけるピクセルの位置と色を示し、前記幾何学的形状は更に、ピクセル内のサブピクセルの位置と非色効果を示し、ここで、与えられた非色効果は、視角、視距離、偏光、強度、散乱、屈折率、又は複屈折の１以上に対応する、工程；及び、１つの印刷サイクル中に、残りのピクセル及び／又はサブピクセルを維持しながら、ネガに従って汎用光学マトリックスのピクセル及び／又はサブピクセルの個々を消去する工程であって、残りのピクセル及び／又はサブピクセルは、ベース画像に対応する光学画像を形成し、光学画像は、残りのピクセルに基づいて色を付けられ、光学画像は、残りのサブピクセルに対応する非色効果を提示し、ここで、与えられたピクセル及び／又はサブピクセルを消去する工程は、与えられたピクセル及び／又はサブピクセルの上で色素を印刷すること、与えられたピクセル及び／又はサブピクセルの上で放射線硬化性材料を硬化させること、与えられたピクセル及び／又はサブピクセルの化学エッチングを行うこと、又は与えられたピクセル及び／又はサブピクセルをレーザー除去することの１以上を含む、工程を含んでいる。
【０１４９】
別の態様（態様５４）は、態様５３の方法に関連し、ここでネガは物理基板上で統合される。
【０１５０】
別の態様（態様５５）は、態様５４の方法に関連し、該方法は、汎用光学マトリックス上の１以上の対応するレジストレーションマークにより、ネガ上の１以上のレジストレーションマークを位置合わせする工程を更に含み、ここで、与えられたレジストレーションマークは、汎用光学マトリックスに含まれ、対応するレジストレーションマークはネガに含まれている。
【０１５１】
別の態様（態様５６）は、態様５４の方法に関連し、該方法は、放射線硬化性材料をネガと汎用光学マトリックスとの間に配置する工程を更に含み、放射線硬化性材料は、硬化時に汎用光学マトリックスの屈折率と同じになる又はそれと同様になる屈折率を有している。
【０１５２】
別の態様（態様５７）は、態様５６の方法に関連し、ここで、ピクセル及び／又はサブピクセルの個々を消去する工程は、ネガを統合した物理基板を放射線に晒すことを含み、それにより放射線は、ネガが位置付けられていない物理基板の部分を通過して、放射線硬化性材料の対応する部分を晒し、放射線硬化性材料の部分は、放射線への曝露に応じて硬化されるようになり、硬化された放射線硬化性材料は、配置されたピクセル及び／又はサブピクセルを消去する。
【０１５３】
別の態様（態様５８）は、態様５４の方法に関連し、ここで、ネガは電子フォーマットであり、該ネガは、個々の光学画像が他の光学画像とは異なるという点で、連続的に生成された光学画像が可変的となるように修正可能である。
【０１５４】
別の態様（態様５９）は、態様５８の方法に関連し、ここで、ピクセル及び／又はサブピクセルの個々を消去する工程は、印刷されるピクセル及び／又はサブピクセルが消去されるように、汎用光学マトリックスに直接インク又はトナーを印刷することを含む。
【０１５５】
別の態様（態様６０）は、態様５４の方法に関連し、該方法は、与えられた残りのピクセル及び／又はサブピクセルの光学構造の屈折率よりも高い、第１の屈折率を持つ材料により、残りのピクセル及び／又はサブピクセルを重ね刷りすることを更に含む。
【０１５６】
別の態様（態様６１）は、態様６０の方法に関連し、ここで、材料は、光学画像の観察角度を増加させるように構成されるカラーフィルタとして作用するように構成される。
【０１５７】
１つの態様（態様６２）は、即座に製造され、且つ同じ印刷サイクルで製造された他の光学画像とは異なる、光学画像に関連するものであり、光学画像は、以下：色に対応する静的な物理ピクセル及び非色効果に対応するサブピクセルの配置されたモチーフを有する、予め準備された物理的な汎用光学マトリックスを得る工程であって、ピクセルは、第１の色に対応する第１のピクセル及び第２の色に対応する第２のピクセルを含み、サブピクセルは、第１の非色効果に対応する第１のサブピクセル及び第２の非色効果に対応する第２のサブピクセルを含み、ここで、与えられた非色効果は、視角、視距離、偏光、強度、散乱、屈折率、又は複屈折の１以上に対応する、工程；及び、１つの印刷サイクル中に、残りのピクセル及び／又はサブピクセルを維持しながら、ネガに従って汎用光学マトリックスのピクセル及び／又はサブピクセルの個々を消去する工程であって、残りのピクセル及び／又はサブピクセルは、ベース画像に対応する光学画像を形成し、光学画像は、残りのピクセルに基づいて色を付けられ、光学画像は、残りのサブピクセルに対応する非色効果を提示し、ここで、与えられたピクセル及び／又はサブピクセルを消去する工程は、与えられたピクセル及び／又はサブピクセルの上で色素を印刷すること、与えられたピクセル及び／又はサブピクセルの上で放射線硬化性材料を硬化させること、与えられたピクセル及び／又はサブピクセルの化学エッチングを行うこと、又は与えられたピクセル及び／又はサブピクセルをレーザー除去することの１以上を含む、工程、を含むプロセスにより準備される。
【０１５８】
１つの態様（態様６３）は、色に対応するピクセル及び非色効果に対応するサブピクセルを有している、汎用光学マトリックスに関連し、汎用光学マトリックスは、基板；及び基板上に配置されるピクセルのアレイを含み、該アレイは、第１の色に対応する含む第１のピクセル及び第２の色に対応する第２のピクセルを含み、第１の色は第２の色とは異なるものであり、第１のピクセルと第２のピクセルは、第１のピクセルの個々が第２のピクセルの個々に隣接して位置するようなモチーフで配列されており；ここで、ピクセルの個々はサブピクセルを含み、与えられたピクセルは第１のサブピクセルと第２のサブピクセルを含み、第１のサブピクセルは第１の光学構造を含み、第１の光学構造は、第１のサブピクセルの光学構造により反射又は送信される光が、第１の視距離から汎用光学マトリックスを観察する人の左目に向けられるように構成され、第２のサブピクセルは第２の光学構造を含み、第２の光学構造は、第１の視距離から汎用光学マトリックスを観察する人の右目に向けられるように構成され、第１のサブピクセル及び第２のサブピクセルにより反射又は送信される光は、与えられたピクセルの対応する色である。
【０１５９】
別の態様（態様６４）は、態様６３の汎用光学マトリックスに関連し、ここで、基板は、フォトレジスト、ニッケルプレート、ポリエステルフィルム、シリコン、ポリカーボネートフィルム、又は紫外線用基板の１以上を含む。
【０１６０】
別の態様（態様６５）は、態様６３の汎用光学マトリックスに関連し、ここで、アレイは更に第３の色に対応する第３のピクセルを含み；第３の色は第１の色及び第２の色とは異なり；及び第３のピクセルは、第３のピクセルの個々が、第１のピクセルの個々及び第２のピクセルの個々に隣接して位置するようなモチーフ中で配置される。
【０１６１】
別の態様（態様６６）は、態様６５の汎用光学マトリックスに関連し、ここで、アレイは更に第４の色に対応する第４のピクセルを含み；第４の色は第１の色、第２の色、及び第３の色とは異なり；及び第４のピクセルは、第４のピクセルの個々が、第１のピクセルの個々、第２のピクセルの個々、及び第３のピクセルの個々に隣接して位置するようなモチーフで配列される。
【０１６２】
別の態様（態様６７）は、態様６３の汎用光学マトリックスに関連し、ここで、与えられたピクセルは、第３のサブピクセルと第４のサブピクセルを含み、第３のサブピクセルは第３の光学構造を含み、第３の光学構造は、第３のサブピクセルの第３の光学構造により反射又は送信される光が、第２の視距離から汎用光学マトリックスを観察する人の左目に向けられるように構成され、第４のサブピクセルは第４の光学構造を含み、第４の光学構造は、第４のサブピクセルの第４の光学構造により反射又は送信される光が、第２の視距離から汎用光学マトリックスを観察する人の右目に向けられるように構成され、第３のサブピクセル及び第４のサブピクセルにより反射又は送信される光は、与えられたピクセルの対応する色である。
【０１６３】
別の態様（態様６８）は、態様６３の汎用光学マトリックスに関連し、ここで、与えられた光学構造は、回折格子、ホログラム、キネグラム、フレネルレンズ、回折光学可変画像装置、ピクセルグラム、ホログラフィックステレオグラム、回折識別装置、誘電体構造、体積ホログラム、干渉セキュリティ画像構造、計算機ホログラム、又は電子ビーム回折格子の１以上を含む。
【０１６４】
別の態様（態様６９）は、態様６３の汎用光学マトリックスに関連し、ここで、ピクセルのアレイは、正方形格子、六角形格子、三角形格子、長方形格子、ランダム配列、又は擬似ランダム配列の１つとして配列される。
【０１６５】
別の態様（態様７０）は、態様６３の汎用光学マトリックスに関連し、ここで、ピクセルの個々は、円形、正方形、長方形、直線、楕円形、角丸正方形、又はドットとして成形される。
【０１６６】
別の態様（態様７１）は、態様６３の汎用光学マトリックスに関連し、ここで、光学マトリックスは、０．０１ミクロンから９０インチの範囲である１つの長さ寸法を持つ領域を覆う。
【０１６７】
別の態様（態様７２）は、態様６３の汎用光学マトリックスに関連し、ここで、ピクセルのアレイは、１インチ当たり１つのピクセルから、１インチ当たり５００，０００のピクセルまでの範囲の解像度を有している。
【０１６８】
１つの態様（態様７３）は、色に対応するピクセル及び非色効果に対応するサブピクセルを有している、汎用光学マトリックスに関連し、汎用光学マトリックスは、基板；及び基板上に配置されるピクセルのアレイを含み、該アレイは、第１の色に対応する含む第１のピクセル及び第２の色に対応する第２のピクセルを含み、第１の色は第２の色とは異なるものであり、第１のピクセルと第２のピクセルは、第１のピクセルの個々が第２のピクセルの個々に隣接して位置するようなモチーフで配列されており；ここで、ピクセルの個々はサブピクセルを含み、与えられたピクセルは第１のサブピクセルと第２のサブピクセルを含み、第１のサブピクセルは第１の光学構造を含み、第１の光学構造は、第１のサブピクセルの光学構造により反射又は送信される光が第１の偏光を持つように構成され、第２のサブピクセルは第２の光学構造を含み、第２の光学構造は、第２のサブピクセルの光学構造により反射又は送信される光が第２の偏光を持つように構成され、第１の偏光は第２の偏光とは異なるものであり、第１のサブピクセル及び第２のサブピクセルにより反射又は送信される光は、与えられたピクセルの対応する色である。
【０１６９】
別の態様（態様７４）は、態様７３の汎用光学マトリックスに関連し、ここで、基板は、フォトレジスト、ニッケルプレート、ポリエステルフィルム、シリコン、ポリカーボネートフィルム、又は紫外線用基板の１以上を含む。
【０１７０】
別の態様（態様７５）は、態様７３の汎用光学マトリックスに関連し、ここで、アレイは更に第３の色に対応する第３のピクセルを含み；第３の色は第１の色及び第２の色とは異なり；及び第３のピクセルは、第３のピクセルの個々が、第１のピクセルの個々及び第２のピクセルの個々に隣接して位置するようなモチーフ中で配置される。
【０１７１】
別の態様（態様７６）は、態様７５の汎用光学マトリックスに関連し、ここで、アレイは更に第４の色に対応する第４のピクセルを含み；第４の色は第１の色、第２の色、及び第３の色とは異なり；及び第４のピクセルは、第４のピクセルの個々が、第１のピクセルの個々、第２のピクセルの個々、及び第３のピクセルの個々に隣接して位置するようなモチーフで配列される。
【０１７２】
別の態様（態様７７）は、態様７３の汎用光学マトリックスに関連し、ここで、与えられた光学構造は、回折格子、ホログラム、キネグラム、フレネルレンズ、回折光学可変画像装置、ピクセルグラム、ホログラフィックステレオグラム、回折識別装置、誘電体構造、体積ホログラム、干渉セキュリティ画像構造、計算機ホログラム、又は電子ビーム回折格子の１以上を含む。
【０１７３】
別の態様（態様７８）は、態様７３の汎用光学マトリックスに関連し、ここで、ピクセルのアレイは、正方形格子、六角形格子、三角形格子、長方形格子、ランダム配列、又は擬似ランダム配列の１つとして配列され；ピクセルの個々は、円形、正方形、長方形、直線、楕円形、角丸長方形、又はドットとして成形され；光学マトリックスは、０．０１ミクロンから９０インチの範囲である１つの長さ寸法を持つ領域を覆い；又は、ピクセルのアレイは、１インチ当たり１つのピクセルから１インチ当たり５００，０００のピクセルの範囲の解像度を有している。
【０１７４】
１つの態様（態様７９）は、色に対応するピクセル及び非色効果に対応するサブピクセルを有している、汎用光学マトリックスを作り出す方法に関連し、該方法は、基板を得る工程；基板上に配置されるピクセルのアレイを画定する工程であって、該アレイは、第１の色に対応する含む第１のピクセル及び第２の色に対応する第２のピクセルを含み、第１の色は第２の色とは異なるものであり、第１のピクセルと第２のピクセルは、第１のピクセルの個々が第２のピクセルの個々に隣接して位置するようなモチーフで配列されている、工程；及びピクセルの個々の中にサブピクセルを形成する工程であって、与えられたピクセルは第１のサブピクセルと第２のサブピクセルを含み、第１のサブピクセルは第１の光学構造を含み、第１の光学構造は、第１のサブピクセルの光学構造により反射又は送信される光が、第１の視距離から汎用光学マトリックスを観察する人の左目に向けられるように構成され、第２のサブピクセルは第２の光学構造を含み、第２の光学構造は、第１の視距離から汎用光学マトリックスを観察する人の右目に向けられるように構成され、第１のサブピクセル及び第２のサブピクセルにより反射又は送信される光は、与えられたピクセルの対応する色である、工程を含む。
【０１７５】
別の態様（態様８０）は、態様７９の方法に関連し、ここで、アレイは更に第３の色に対応する第３のピクセルを含み；第３の色は第１の色及び第２の色とは異なり；及び第３のピクセルは、第３のピクセルの個々が、第１のピクセルの個々及び第２のピクセルの個々に隣接して位置するようなモチーフ中で配置される。
【０１７６】
別の態様（態様８１）は、態様７９の方法に関連し、ここで、与えられたピクセルは、第３のサブピクセル及び第４のサブピクセルを含み；第３のサブピクセルは第３の光学構造を含み、第３の光学構造は、第３の光学構造により反射又は送信される光が、第２の視距離から一般的な光学マトリックスを観察する人の左目に向けられるように構成され；第４のサブピクセルは第４の光学構造を含み、第４の光学構造は、第４の光学構造により反射又は送信される光が、第２の見える方向から汎用光学マトリックスを観察する人の右目に向けられるように構成され；及び第３のサブピクセル及び第４のサブピクセルにより反射又は送信される光は、与えられたピクセルの対応する色である。
【０１７７】
１つの態様（態様８２）は、色に対応するピクセル及び非色効果に対応するサブピクセルを有している、汎用光学マトリックスを作り出す方法に関連し、該方法は、基板を得る工程；基板上に配置されるピクセルのアレイを画定する工程であって、該アレイは、第１の色に対応する含む第１のピクセル及び第２の色に対応する第２のピクセルを含み、第１の色は第２の色とは異なるものであり、第１のピクセルと第２のピクセルは、第１のピクセルの個々が第２のピクセルの個々に隣接して位置するようなモチーフで配列されている、工程；及びピクセルの個々の中にサブピクセルを形成する工程であって、与えられたピクセルは第１のサブピクセルと第２のサブピクセルを含み、第１のサブピクセルは第１の光学構造を含み、第１の光学構造は、第１のサブピクセルの光学構造により反射又は送信される光が第１の偏光を持つように構成され、第２のサブピクセルは第２の光学構造を含み、第２の光学構造は、第２のサブピクセルの光学構造により反射又は送信される光が第２の偏光を持つように構成され、第１の偏光は第２の偏光とは異なるものであり、第１のサブピクセル及び第２のサブピクセルにより反射又は送信される光は、与えられたピクセルの対応する色である、工程を含む。
【０１７８】
１つの態様（態様８３）は、汎用光学マトリックスを用いて可変デジタル光学画像を作り出すように構成されたシステムに関連し、該システムは、ベース画像に対応するネガを保持するように構成された画像ネガコンポーネントであって、ネガは、汎用光学マトリックスに関連したベース画像と幾何学的形状に基づくものであり、汎用光学マトリックスは、色に対応するピクセル及び／又は非色効果に対応するサブピクセルを有しており、ピクセルは、第１の色に対応する第１のピクセル及び第２色に対応する第２ピクセルを含んでおり、サブピクセルは、第１の非色効果に対応する第１のサブピクセル及び第２の非色効果に対応する第２サブピクセルを含んでおり、前記幾何学的形状は、汎用光学マトリックスにおけるピクセルの位置と色を示し、前記幾何学的形状は更に、ピクセル内のサブピクセルの位置と非色効果を示す、画像ネガコンポーネント；及び、残りのピクセル及び／又はサブピクセルを維持しながら、ネガに従って汎用光学マトリックスのピクセル及び／又はサブピクセルの個々を消去するように構成される画像生成コンポーネントであって、残りのピクセル及び／又はサブピクセルは、ベース画像に対応する光学画像を形成し、光学画像は、残りのピクセルに基づいて色を付けられ、光学画像は、残りのサブピクセルに対応する非色効果を提示する、画像生成コンポーネントを含み；ここで、ネガは電子フォーマットであり；及び、画像生成コンポーネントは、印刷されるピクセル及び／又はサブピクセルが消去されるよう、汎用光学マトリックス上で直接インク又はトナーを印刷するように構成された機器を含んでいる。
【０１７９】
別の態様（態様８４）は、態様８３のシステムに関連し、ここで、光学画像は、ホログラム、ステレオ画像、ホログラム、ステレオ画像、光学可変装置ベースの画像、回折光学可変画像、ゼロ次装置ベースの画像、ブレーズド回折構造ベースの画像、一次装置ベースの画像、ドットマトリクス画像、ピクセルグラム画像、構造色構造ベースの画像、回折識別装置ベースの画像、干渉セキュリティ画像構造ベースの画像、キネグラム画像、エクセルグラム画像、回折光学素子ベースの画像、光子構造ベースの画像、ナノホールベースの画像、計算機ホログラム、電子ビームにより生成された光学構造、又は干渉パターンの１以上を含む。
【０１８０】
別の態様（態様８５）は、態様８３のシステムに関連し、ここで、残りのサブピクセルの非色効果は、光学画像を見た時に観察可能な１以上の光学効果を生じさせ、１以上の光学効果は、三次元光学効果、二次元光学効果、ダイナミック光学効果、散乱効果、ホログラフィック白色効果、透鏡効果、フレネルレンズ効果、輝度変調効果、リソグラフィック効果、ステレオグラム効果、ナノテキスト及び／又はマイクロテキスト効果、隠し画像効果、モアレ効果、隠しアニメ化パターン効果、秘密レーザー可読（ＣＬＲ）効果、複数背景効果、真珠光沢効果、トゥルーカラー画像効果、ギロシェ効果、アニメーション効果、無色フレネル効果、ダイナミックＣＬＲ画像、キネマティック画像、フルパララックス効果、スクラッチホログラフィック効果、分極効果、透かし効果、メタリック効果、バイナリ光学構造、又はフレネルプリズムの１以上を含む。
【０１８１】
別の態様（態様８６）は態様８３のシステムに関連し、ここで、残りのサブピクセルの個々は、残りのサブピクセルに関連した個々のピクセルの色に対応する色により、具体的な視角で光を反射する。
【０１８２】
別の態様（態様８７）は、態様８３のシステムに関連し、ここで、物理基板は透明フィルムである。
【０１８３】
別の態様（態様８８）は、態様８３のシステムに関連し、該システムは、汎用光学マトリックスに関連した１以上のレジストレーションマークに基づき、ネガのレジストレーションを位置合わせするように構成されたアライナーコンポーネントを更に含んでいる。
【０１８４】
別の態様（態様８９）は、態様８３のシステムに関連し、ここで、インク又はトナーは放射線硬化性材料を含み、放射線硬化性材料は、硬化時に汎用光学マトリックスの屈折率と同じになる又はそれと同様になる屈折率を有している。
【０１８５】
別の態様（態様９０）は、態様８９のシステムに関連し、ここで、放射線硬化性材料は、紫外線光に晒された時に硬化されるラッカー；硬化時に透明又は半透明になるラッカー；又は硬化時に色が付けられるラッカーの、１以上である。
【０１８６】
別の態様（態様９１）は、態様８３のシステムに関連し、ここで、個々の消去されたピクセル及び／又はサブピクセルは透明にされ、透明にされた消去されたピクセル及び／又はサブピクセルは、汎用光学マトリックスの基板が、透明にされた消去されたピクセル及び／又はサブピクセルにおいて目に見えるようになることを可能にする。
【０１８７】
別の態様（態様９２）は、態様８３のシステムに関連し、ここで、画像生成コンポーネントは更に、消去されたピクセル及び／又はサブピクセルの個々の上で黒色を印刷するように構成される。
【０１８８】
別の態様（態様９３）は、態様８３のシステムに関連し、ここで、画像生成コンポーネントは更に、残りのピクセル及び／又はサブピクセルの個々の光度に影響を及ぼすために、残りのピクセル及び／又はサブピクセルの個々の上で、様々な密度で黒色を印刷するように構成される。
【０１８９】
別の態様（態様９４）は、態様８３のシステムに関連し、ここで、ネガは、個々の光学画像が他の光学画像とは異なるという点で、連続的に生成された光学画像が可変的となるように、修正可能である。
【０１９０】
別の態様（態様９５）は、態様９４のシステムに関連し、ここで、光学画像及び連続光学画像は、異なる光学画像に関して異なる可変コードを含んでおり、該可変コードは、一次元バーコード、マトリックスバーコード、英数字コード、グラフィカルコード、２Ｄコード、連続バーコード、連番、暗号化コード、データマトリックスコード、マトリックス２Ｄコード、Ａｚｔｅｃコード、又はマキシコードの１以上を含む。
【０１９１】
別の態様（態様９６）は、態様９４のシステムに関連し、ここで、光学画像及び連続光学画像は、可変的オバートセキュリティ機能又は可変的コバートセキュリティ機能の１つ又は両方を含んでいる。
【０１９２】
１つの態様（態様９７）は、汎用光学マトリックスを用いて可変デジタル光学画像を作り出す方法に関連し、該方法は、ベース画像に対応するネガを保持する工程であって、ネガは、汎用光学マトリックスに関連したベース画像と幾何学的形状に基づくものであり、汎用光学マトリックスは、色に対応するピクセル及び／又は非色効果に対応するサブピクセルを有しており、ピクセルは、第１の色に対応する第１のピクセル及び第２色に対応する第２のピクセルを含んでおり、サブピクセルは、第１の非色効果に対応する第１のサブピクセル及び第２の非色効果に対応する第２のサブピクセルを含んでおり、前記幾何学的形状は、汎用光学マトリックスにおけるピクセルの位置と色を示し、前記幾何学的形状は更に、ピクセル内のサブピクセルの位置と非色効果を示す、工程；及び、残りのピクセル及び／又はサブピクセルを維持しながら、ネガに従って汎用光学マトリックスのピクセル及び／又はサブピクセルの個々を消去する工程であって、残りのピクセル及び／又はサブピクセルは、ベース画像に対応する光学画像を形成し、光学画像は、残りのピクセルに基づいて色を付けられ、光学画像は、残りのサブピクセルに対応する非色効果を提示する、工程を含み；ここで、ネガは電子フォーマットであり、該ネガは、個々の光学画像が他の光学画像とは異なるという点で、連続的に生成された光学画像が可変的となるように修正可能であり；及び、ピクセル及び／又はサブピクセルの個々を消去する工程は、印刷されるピクセル及び／又はサブピクセルが消去されるように、汎用光学マトリックスに直接インク又はトナーを印刷することを含む。
【０１９３】
別の態様（態様９８）は、態様９７の方法に関連し、該方法は、汎用光学マトリックスに関連した１以上のレジストレーションマークに基づいてネガのレジストレーションマークを位置合わせすることを含み、ここで、与えられたレジストレーションマークは、汎用光学マトリックスに含まれる。
【０１９４】
別の態様（態様９９）は、態様９７の方法に関連し、ここで、インク又はトナーは、ネガと汎用光学マトリックスとの間に放射線硬化性材料を含み、放射線硬化性材料は、硬化時に汎用光学マトリックスの屈折率と同じになる又はそれと同様になる屈折率を有している。
【０１９５】
別の態様（態様１００）は、態様９７の方法に関連し、該方法は、与えられた残りのピクセル及び／又はサブピクセルの光学構造の屈折率よりも高い、第１の屈折率を持つ材料により、残りのピクセル及び／又はサブピクセルを重ね刷りする工程を更に含む。
【０１９６】
別の態様（態様１０１）は、態様１００の方法に関連し、ここで、材料は、光学画像の観察角度を増加させるように構成されるカラーフィルタとして作用するように構成される。
【０１９７】
１つの態様（態様１０２）は、以下：色に対応するピクセル及び非色効果に対応するサブピクセルを有している汎用光学マトリックスを得る工程であって、ピクセルは、第１の色に対応する第１のピクセルと第２の色に対応する第２のピクセルを含み、サブピクセルは、第１の非色効果に対応する第１のサブピクセルと第２の非色効果に対応する第２のサブピクセルを含む、工程；及び、残りのピクセル及び／又はサブピクセルを維持しながら、ネガに従って汎用光学マトリックスのピクセル及び／又はサブピクセルの個々を消去する工程であって、残りのピクセル及び／又はサブピクセルは、ベース画像に対応する光学画像を形成し、光学画像は、残りのピクセルに基づいて色を付けられ、光学画像は、残りのサブピクセルに対応する非色効果を提示する、工程を含むプロセスにより準備された光学画像に関連し；ここで、ネガは電子フォーマットであり、該ネガは、個々の光学画像が他の光学画像とは異なるという点で、連続的に生成された光学画像が可変的となるように修正可能であり；及び、ピクセル及び／又はサブピクセルの個々を消去する工程は、印刷されるピクセル及び／又はサブピクセルが消去されるように、汎用光学マトリックスに直接インク又はトナーを印刷することを含む。
【０１９８】
本技術は、現在最も実用的且つ好ましい実施態様であると考慮されるものに基づいて説明するために詳細に記載されてきたが、このような詳細は単に説明目的のためだけのものであり、本技術は、開示された実施態様に限定されないが、これに反して、添付の請求項の精神及び範囲の中にある修正及び同等の配列を包含するように意図されていることを、理解されたい。例えば、本技術は、可能な程度まで、任意の実施態様の１以上の機能を他の実施態様の１以上の機能と組み合わせることができることを考慮していることを、理解されたい。
【図１】
2018513999.tif 000003
【図２】
2018513999.tif 000004
【図３】
2018513999.tif 000005
【図４】
2018513999.tif 000006
【図５】
2018513999.tif 000007
【図６】
2018513999.tif 000008
【図７Ａ】
2018513999.tif 000009
【図７Ｂ】
2018513999.tif 000010
【図７Ｃ】
2018513999.tif 000011
【図８】
2018513999.tif 000012
【図９】
2018513999.tif 000013
【図１０】
2018513999.tif 000014
【図１１】
2018513999.tif 000015
【図１２】
2018513999.tif 000016
【図１３】
2018513999.tif 000017
【図１４】
2018513999.tif 000018
【図１５】
2018513999.tif 000019
【図１６】
2018513999.tif 000020
【図１６Ａ】
2018513999.tif 000021
【図１７】
2018513999.tif 000022
【図１８】
2018513999.tif 000023
【図１９】
2018513999.tif 000024
【図２０】
2018513999.tif 000025
【図２１】
2018513999.tif 000026
【図２２】
2018513999.tif 000027
【国際調査報告】
2018513999.tif 000028
2018513999.tif 000029